(57)【要約】      （修正有）【課題】チャンバーとピストンの組合せ構造体を利用した安価で高性能な装置の提供である。【解決手段】ピストン20とチャンバー1の組合せ構造体であって、チャンバーは長軸を有した長形チャンバーであり、第１長手ポジションで第１断面積を有し、第２長手ポジションで第２断面積を有しており、第２断面積は第１断面積の９５％以下であり、チャンバーの断面積の変化は実質的に連続的であり、ピストンは第１長手ポジションから第２長手ポジションに移動する際にチャンバーの断面積の変化に即応できるように提供されている。ピストン20は傘形状の支持構造体またはフォーム体あるいは流体を含んだ繊維補強された可変形コンテナーを含んでいる。この構造体はポンプ、アクチュエータ、モータ、ショックアブソーバ等として利用できる。【選択図】図３−１
2014142067.tif 000002
【特許請求の範囲】
【請求項１】
ピストンとチャンバーの組合せ構造体であって、
該チャンバーは長軸を具えた長形チャンバーであり、第１長手ポジションに第１断面積を有し、第２長手ポジションに第２断面積を有しており、該第２断面積は前記第１断面積の９５％以下であり、前記チャンバーの断面積変化は実質的に連続的であり、
前記ピストンは前記チャンバー内で前記第１長手ポジションから前記第２長手ポジションへと移動する際に断面積の変化に即応するように提供されている、
ことを特徴とする構造体。
【請求項２】
第２断面積は第１断面積の９５％から１５％の間であることを特徴とする請求項１記載の構造体。
【請求項３】
第２断面積は第１断面積の９５％から７０％であることを特徴とする請求項１記載の構造体。
【請求項４】
第２断面積は第１断面積の約５０％であることを特徴とする請求項１記載の構造体。
【請求項５】
ピストンは、
共通部材に回転式に取り付けられた実質的に剛性である複数の支持部と、
該支持部によって支持されており、チャンバーの内壁に対するシール状態を提供する弾性変形手段と、
を含んで成り、
前記支持部は長軸に対して１０°から４０°の範囲で回転できることを特徴とする請求項１から４のいずれかに記載の構造体。
【請求項６】
支持部は長軸に対して略平行となるように回転できることを特徴とする請求項５記載の構造体。
【請求項７】
共通部材はユーザーが利用するハンドルに取り付けられており、支持部はチャンバー内にて該ハンドルから離れる方向に延びていることを特徴とする請求項５記載の構造体。
【請求項８】
チャンバーの内壁に支持部を押し付けるバイアス手段をさらに含んでいることを特徴とする請求項５または７に記載の構造体。
【請求項９】
ピストンは可変形材料で成る弾性変形コンテナーを含んで成ることを特徴とする請求項１から４のいずれかに記載の構造体。
【請求項１０】
可変形材料は水、蒸気、及び／又は気体あるいはフォーム体のごとき流体または流体の混合体であることを特徴とする請求項９記載の構造体。
【請求項１１】
コンテナーは長手方向の断面において、第１長手ポジションでは第１形状を有し、第２長手ポジションでは第２形状を有しており、該第１形状は該第２形状とは異なることを特徴とする請求項９または１０に記載の構造体。
【請求項１２】
可変形材料の少なくとも一部は可圧縮性であり、第１形状は第２形状よりも大きな面積を有していることを特徴とする請求項１１記載の構造体。
【請求項１３】
可変形材料は少なくとも実質的に非圧縮性であることを特徴とする請求項１２記載の構造体。
【請求項１４】
ピストンは弾性変形コンテナーと連通するチャンバーを含んで成り、該チャンバーは可変容積を有していることを特徴とする請求項９から１３のいずれかに記載の構造体。
【請求項１５】
容積はユーザーが変動させることを特徴とする請求項１４記載の構造体。
【請求項１６】
チャンバーはスプリング式ピストンを含んでいることを特徴とする請求項１４記載の構造体。
【請求項１７】
チャンバーの容積を決定し、該チャンバー内の流体圧力をピストンとコンテナーの第２長手ポジションとの間の流体圧力に対応させる決定手段をさらに含んで成ることを特徴とする請求項１４から１６のいずれかに記載の構造体。
【請求項１８】
決定手段はチャンバー内の圧力をピストンとコンテナーの第２長手ポジションとの間の圧力と実質的に同一とさせるように提供されていることを特徴とする請求項１７記載の構造体。
【請求項１９】
第１断面形状は第２断面形状とは異なり、チャンバーの断面形状の変化は実質的に連続的であることを特徴とする請求項１から１８のいずれかに記載の構造体。
【請求項２０】
第１断面積は第２断面積の少なくとも５％、好適には少なくとも１０％、さらに好適には少なくとも２０％、さらに好適には少なくとも３０％、さらに好適には少なくとも４０％、さらに好適には少なくとも５０％、さらに好適には少なくとも６０％、さらに好適には少なくとも７０％、さらに好適には少なくとも８０％、さらに好適には少なくとも９０％大きいことを特徴とする請求項１９記載の構造体。
【請求項２１】
第１断面形状は実質的に円形であり、第２断面形状は略楕円形であり、その第１寸法は第２寸法の少なくとも２倍、好適には少なくとも３倍、さらに好適には少なくとも４倍の
長さであることを特徴とする請求項１９または２０に記載の構造体。
【請求項２２】
第１断面形状は実質的に円形であり、第２断面形状は複数の丸型膨出部分を含んでいることを特徴とする請求項１９、２０または２１に記載の構造体。
【請求項２３】
第１長手ポジションの断面におけるチャンバーの第１周囲長は第２長手ポジションの断面における第２周囲長の８０から１２０％、好適には８５から１１５％、さらに好適には９０から１１０％、さらに好適には９５から１０５％、さらに好適には９８から１０２％であることを特徴とする請求項１９から２２のいずれかに記載の構造体。
【請求項２４】
第１周囲長と第２周囲長は実質的に同一であることを特徴とする請求項２３記載の構造体。
【請求項２５】
ピストンは、
チャンバー内で第１長手ポジションから第２長手ポジションに移動する際に該チャンバーの断面変化に即応できる弾性変形材料と、
長軸に沿った中央軸を有したコイル型平スプリングと、
を含んで成り、該スプリングは前記弾性変形材料に隣接して提供され、該材料を長手方向に支持することを特徴とする請求項１から４のいずれかに記載の構造体。
【請求項２６】
ピストンは、弾性変形材料とスプリングとの間に複数の平型支持手段をさらに含んでおり、該支持手段は該スプリングと該弾性変形材料との間のインターフェースに沿って回転できることを特徴とする請求項２５記載の構造体。
【請求項２７】
支持手段は第１ポジションから第２ポジションにまで回転でき、該第１ポジションにおいては外側境界部は第１断面積内に存在し、該第２ポジションにおいては外側境界部は第２断面積内に存在することを特徴とする請求項２６記載の構造体。
【請求項２８】
ピストンとチャンバーの組合せ構造体であって、
該チャンバーは長軸を有した長形チャンバーであり、第１長手ポジションで第１断面積を有し、第２長手ポジションで第２断面積を有しており、該第１断面積は該第２断面積よりも大きく、前記チャンバーの断面積の変化は実質的に連続的であり、
前記ピストンは前記第１長手ポジションから前記第２長手ポジションに移動する際に前記チャンバーの断面積の変化に即応できるように提供されており、共通部材に回転式に取り付けられた実質的に剛性である複数の支持部と、前記チャンバーの内壁に対してシール状態を提供するように該支持部によって支持された弾性変形手段とを含んで成り、該支持部は長軸に対して１０°から４０°の範囲で回転できる、
ことを特徴とする構造体。
【請求項２９】
支持部は長軸と略平行となるように回転できることを特徴とする請求項２８記載の構造体。
【請求項３０】
共通部材はユーザーが利用するハンドルに取り付けられており、支持部はチャンバー内で該ハンドルから離れる方向に延びていることを特徴とする請求項２８記載の構造体。
【請求項３１】
支持部をチャンバーの内壁に押し付けるバイアス手段をさらに含んでいることを特徴とする請求項２８記載の構造体。
【請求項３２】
ピストンとチャンバーの組合せ構造体であって、
該チャンバーは長軸を具えた長形チャンバーであって、第１長手ポジションで第１断面積を有し、第２長手ポジションで第２断面積を有しており、該第１断面積は該第２断面積よりも大きく、前記チャンバー内の断面積の変化は実質的に連続的であり、
前記ピストンは前記第１長手ポジションから前記第２長手ポジションに移動する際に前記チャンバーの断面積の変化に即応できるように提供されており、可変形材料で成る弾性変形コンテナーを含んでいる、ことを特徴とする構造体。
【請求項３３】
可変形材料は水、蒸気、及び／又は気体あるいはフォーム体のごとき流体または流体の混合体であることを特徴とする請求項３２記載の構造体。
【請求項３４】
コンテナーは長手方向の断面において、第１長手ポジションでは第１形状を有し、第２長手ポジションでは第２形状を有しており、該第１形状は該第２形状とは異なることを特徴とする請求項３２または３３に記載の構造体。
【請求項３５】
可変形材料の少なくとも一部は可圧縮性であり、第１形状は第２形状よりも大きな面積を有していることを特徴とする請求項３４記載の構造体。
【請求項３６】
可変形材料は少なくとも実質的に非圧縮性であることを特徴とする請求項３２から３５のいずれかに記載の構造体。
【請求項３７】
ピストンは弾性変形コンテナーと連通するチャンバーを含んで成り、該チャンバーは可変容積を有していることを特徴とする請求項３２から３６のいずれかに記載の構造体。
【請求項３８】
容積はユーザーが変動させることを特徴とする請求項３７記載の構造体。
【請求項３９】
チャンバーはスプリング式ピストンを含んでいることを特徴とする請求項３７記載の構造体。
【請求項４０】
チャンバーの容積を決定し、該チャンバー内の流体圧力をピストンとコンテナーの第２長手ポジションとの間の流体圧力に対応させる決定手段をさらに含んで成ることを特徴とする請求項３７から３９のいずれかに記載の構造体。
【請求項４１】
決定手段はチャンバー内の圧力をピストンとコンテナーの第２長手ポジションとの間の圧力と実質的に同一とさせるように提供されていることを特徴とする請求項４０記載の構造体。
【請求項４２】
コンテナーは補強手段を含んだ弾性変形材料を含んでいることを特徴とする請求項３２から３９のいずれかに記載の構造体。
【請求項４３】
補強手段は繊維を含んでいることを特徴とする請求項４２記載の構造体。
【請求項４４】
フォーム体または流体は、ピストンが第１長手ポジションと第２長手ポジションとの間で移動するときコンテナー内に周囲外圧の最高値よりも大きな圧力を提供することを特徴とする請求項３２から４２のいずれかに記載の構造体。
【請求項４５】
ピストンとチャンバーの組合せ構造体であって、
該チャンバーは長軸を有した長形チャンバーであり、第１長手ポジションで第１断面形状を有し、第２長手ポジションで第２断面形状を有しており、該第１断面形状は該第２断面形状とは異なっており、前記チャンバーの断面形状の変化は実質的に連続的であり、
前記ピストンは前記第１長手ポジションから前記第２長手ポジションに移動する際に前記チャンバーの断面形状の変化に即応できるように提供されている、
ことを特徴とする構造体。
【請求項４６】
第１断面積は第２断面積の少なくとも５％、好適には少なくとも１０％、さらに好適には少なくとも２０％、さらに好適には少なくとも３０％、さらに好適には少なくとも４０％、さらに好適には少なくとも５０％、さらに好適には少なくとも６０％、さらに好適には少なくとも７０％、さらに好適には少なくとも８０％、さらに好適には少なくとも９０％大きいことを特徴とする請求項４５記載の構造体。
【請求項４７】
第１断面形状は実質的に円形であり、第２断面形状は略楕円形であり、その第１寸法は第２寸法の少なくとも２倍、好適には少なくとも３倍、さらに好適には少なくとも４倍の長さであることを特徴とする請求項４５または４６に記載の構造体。
【請求項４８】
第１断面形状は実質的に円形であり、第２断面形状は複数の丸型膨出部分を含んでいることを特徴とする請求項４５または４６に記載の構造体。
【請求項４９】
第１長手ポジションの断面におけるチャンバーの第１周囲長は第２長手ポジションの断面における第２周囲長の８０から１２０％、好適には８５から１１５％、さらに好適には９０から１１０％、さらに好適には９５から１０５％、さらに好適には９８から１０２％であることを特徴とする請求項４５から４８のいずれかに記載の構造体。
【請求項５０】
第１周囲長と第２周囲長は実質的に同一であることを特徴とする請求項４９記載の構造体。
【請求項５１】
ピストンは、
共通部材に回転式に取り付けられた実質的に剛性である複数の支持部と、
該支持部によって支持されており、チャンバーの内壁に対してシール状態を提供する弾性変形手段と、
を含んで成ることを特徴とする請求項４５から５０のいずれかに記載の構造体。
【請求項５２】
ピストンは可変形材料を含んだ弾性変形コンテナーを含んでいることを特徴とする請求項４５から５０のいずれかに記載の構造体。
【請求項５３】
ピストンとチャンバーの組合せ構造体であって、
該チャンバーは長軸を具えた長形チャンバーであって、第１長手ポジションで第１断面積を有し、第２長手ポジションで第２断面積を有しており、該第１断面積は該第２断面積よりも大きく、前記チャンバー内の断面積の変化は実質的に連続的であり、
前記ピストンは前記第１長手ポジションから前記第２長手ポジションに移動する際に前記チャンバーの断面積の変化に即応できるように提供された弾性変形材料と、長軸に沿った中央軸を有したコイル型平スプリングとを含んで成り、該スプリングは該弾性変形材料に隣接して提供されており、該弾性変形材料を長手方向に支持している、
ことを特徴とする構造体。
【請求項５４】
ピストンは、弾性変形材料とスプリングとの間に複数の平型支持手段をさらに含んでおり、該支持手段は該スプリングと該弾性変形材料との間のインターフェースに沿って回転できることを特徴とする請求項５３記載の構造体。
【請求項５５】
支持手段は第１ポジションから第２ポジションにまで回転でき、該第１ポジションにおいては外側境界部は第１断面積内に存在し、該第２ポジションにおいては外側境界部は第２断面積内に存在することを特徴とする請求項５４記載の構造体。
【請求項５６】
ピストンとチャンバーの組合せ構造体であって、
該チャンバーは長軸を有した長形チャンバーであり、
該ピストンは第１長手ポジションから第２長手ポジションへ移動することができ、
前記チャンバーは該第１長手ポジションと該第２長手ポジションとの間の該チャンバーの内壁の少なくとも一部に沿って弾性変形する内壁を有しており、
該チャンバーは第１長手ポジションに前記ピストンが位置したときに第１断面積を有し、第２長手ポジションに該ピストンが位置したときに第２断面積を有し、該第１断面積は該第２断面積よりも大きく、前記ピストンが前記第１長手ポジションから前記第２長手ポジションに移動するときに前記チャンバーの断面積の変化は実質的に連続的である、
ことを特徴とする構造体。
【請求項５７】
ピストンは実質的に非圧縮性材料で提供されていることを特徴とする請求項５６記載の構造体。
【請求項５８】
ピストンは長軸に沿った断面で第２長手ポジションに向かってテーパしている形状を有していることを特徴とする請求項５６または５７に記載の構造体。
【請求項５９】
チャンバーは、
内壁を囲む外側支持構造体と、
該外側支持構造体と該内壁との間の空間に保持された流体と、
を含んでいることを特徴とする請求項５６から５８のいずれかに記載の構造体。
【請求項６０】
流体をポンプ排出させるポンプであって、
請求項１から５９のいずれかに記載の構造体と、
チャンバーの外側のポジションからピストンと係合する係合手段と、
該チャンバーに連通しており、バルブ手段を含んだ流体インレットと、該チャンバーに連通する流体アウトレットと、
を含んで成ることを特徴とするポンプ。
【請求項６１】
係合手段は、ピストンがその第１長手ポジションに存在する外側ポジションと、その第２長手ポジションに存在する内側ポジションとを有していることを特徴とする請求項６０記載のポンプ。
【請求項６２】
係合手段は、ピストンがその第２長手ポジションに存在する外側ポジションと、その第１長手ポジションに存在する内側ポジションとを有していることを特徴とする請求項６０記載のポンプ。
【請求項６３】
ショックアブソーバであって、
請求項１から５９のいずれかに記載の構造体と、
チャンバーの外側のポジションからピストンと係合する係合手段と、
を含んで成り、該係合手段はピストンがその第１長手ポジションに存在する外側ポジションと、その第２長手ポジションに存在する内側ポジションとを有していることを特徴とするショックアブソーバ。
【請求項６４】
チャンバーに連通しており、バルブ手段を含んでいる流体インレットをさらに含んでいることを特徴とする請求項６３記載のショックアブソーバ。
【請求項６５】
チャンバーに連通しており、バルブ手段を含んでいる流体アウトレットをさらに含んでいることを特徴とする請求項６３または６４に記載のショックアブソーバ。
【請求項６６】
チャンバーとピストンは流体を含んだ実質的にシール状態の凹部を提供しており、該流体は該ピストンが第１長手ポジションから第２長手ポジションに移動するときに圧縮されることを特徴とする請求項６３から６５のいずれかに記載のショックアブソーバ。
【請求項６７】
ピストンを第１長手ポジション側に押圧するバイアス手段をさらに含んでいることを特徴とする請求項６３から６６のいずれかに記載のショックアブソーバ。
【請求項６８】
アクチュエータであって、
請求項１から５９のいずれかに記載の構造体と、
チャンバーの外側のポジションからピストンと係合する係合手段と、
該チャンバー内に流体を導入させ、該ピストンを第１長手ポジションと第２長手ポジションとの間で移動させる導入手段と、
を含んで成ることを特徴とするアクチュエータ。
【請求項６９】
チャンバーと連通しており、バルブ手段を含んでいる流体インレットをさらに含んでいることを特徴とする請求項６８記載のアクチュエータ。
【請求項７０】
チャンバーと連通しており、バルブ手段を含んでいる流体アウトレットをさらに含んでいることを特徴とする請求項６８または６９に記載のアクチュエータ。
【請求項７１】
ピストンを第１長手ポジションまたは第２長手ポジション側に押圧するバイアス手段をさらに含んでいることを特徴とする請求項６８から７０のいずれかに記載のアクチュエータ。
【請求項７２】
導入手段はチャンバー内へ圧縮流体を導入する手段を含んでいることを特徴とする請求項６８から７１のいずれかに記載のアクチュエータ。
【請求項７３】
導入手段はチャンバー内へガソリン等の燃焼性流体を導入させるように提供されており、該燃焼性流体を燃焼させる燃焼手段をさらに含んでいることを特徴とする請求項６８から７２に記載のアクチュエータ。
【請求項７４】
クランクをさらに含んでおり、ピストンの平行移動を該クランクの回転に変換させる手段をさらに含んでいることを特徴とする請求項６８から７３のいずれかに記載のアクチュエータ。
【発明の詳細な説明】
【技術分野】
【０００１】
本願発明は、チャンバーと、そのチャンバー内のピストンとの組合せ構造体と、そのような構造体を組入れた装置に関する。そのチャンバーとピストンは所定の方向と所定の範囲（第１ポジションと第２ポジションとの間）で相対運動する。このような組合せ構造体はチャンバーとピストンの組合せが必要とされる装置にて利用が可能である。このような装置の例には、あらゆる種類のピストンポンプ、特に手動ピストンポンプ、アクチュエータ、ショックアブソーバ、モータ等が存在する。
【背景技術】
【０００２】
現存の手動ピストンポンプの問題点は、ポンプ使用者の腕または足に直接的な負担がかかることである。もし閉鎖物内（例えばタイヤ内）の気体封入体及び／又は液体封入体の圧力を増加させようとするなら、ポンプを作動させるのに必要な力はストロークごとに増加する。もし封入体が非圧縮性液体、例えば水ポンプの水であれば力は同じままである。
【０００３】
このような性質によってユーザーは不快との言える奇妙な感覚を覚える。デザインの過程でこれら力の大きさはしばしばユーザーの予想体重及び腕や足の初動パワーと、対象体に対してポンプ作用させるのに要する時間との間の妥協の産物となる。ピストンの直径はポンプの作用に適用される力レベルを定義する。ポンプモーション時間もポンプのシリンダーの長さで定義される。このことはポンプの想定ユーザーを所定の身長のユーザーに限定することにつながる。自転車及び車のポンプは明確な例である。特に高圧ポンプは男性ユーザーを対象としている（設計対象：７５ｋｇ、１７５ｃｍ）。これは女性や若年者が自転車利用者の大半であることと矛盾する。
【０００４】
４から１３バールの範囲の圧力を同じポンプ、例えば高圧自転車ポンプで得なければならないとき、低圧大容積タイヤの場合の短ポンプ作動時間と高圧小容積タイヤの場合の低ポンプ力との特徴の組み合わせは、もしポンプが手動ポンプであれば大きな問題である。
【０００５】
比較的に大きな容積の低圧タイヤが高圧ポンプで空気充填される場合には必要以上に長い作業時間を要し、ユーザーはリアクションを感じることがないために使用不快感を覚える。高圧床ポンプで高圧タイヤの適正なタイヤ圧力を得ることは困難であることが多い。なぜなら、最後のポンプストロークの一部のみが必要であり、大抵の場合はストロークは途中半端となる。従って、強力な作動力を要するためにピストンの動きと停止とを同時に制御することは困難である。現代の自転車とタイヤは１９８０年代初頭に紹介された。これら自転車は移動手段として幅広く活用されている。よって、汎用ピストンポンプは特許文献で数多く発表されている。これらのポンプは適度な力と時間で低圧及び高圧タイヤに空気を入れることができる。この作用は切替式の複数の共軸／並列シリンダーとピストンの同時的適用で達成される（例：ＤＥ１９５１８２４２Ａ１、ＤＥ４４３９８３０Ａ１、ＤＥ４４３４５０８Ａ１、ＰＣＴ／ＳＥ９６／００１５８）。しかしながら、これらの解決策は製造コストの上昇につながり、故障の原因ともなる。なぜなら、そのようなポンプには複数の部材要素が組み込まれているからである。
【０００６】
可動ピストンを具えた円錐台形の形状の自転車床ポンプは従来から知られている。この狙いはポンプ駆動力を低減させることにある。異なる複数の直径を有したチャンバー内で移動するピストンを具えたポンプは過去に存在しなかった。驚くべきことではない。なぜなら、この種のピストンの製造は困難だからである。低圧大容量タイヤの場合、一般向け製品においては多少の漏出は大きな問題ではない。しかしながら、現在の高圧ポンプや業者用ポンプにおいては漏出は大問題である。漏出を起こさない高圧及び／又は低高圧のピストンに要求される性能及び条件は低圧のものとは比較にならないほど厳しい。
【０００７】
ＵＳ５５０３１８８は膨張式不透過性バッグを具えた有機構造パイプラインフローストッパーを開示する。このストッパーは従来の移動式ピストンに相当する。パイプ内の流体はピストンに動的負荷を与え、ポンプのチャンバー壁はピストンの移動方向とは垂直方向に断面や形状を変動させる。このことはシール（封止）に関する問題を提起する。このシール問題は本願発明が解決する。
【０００８】
ＧＢ２０２３７１５ＡとＧＢ２０７０７３１Ａは内側がテーパ状態であるシリンダーを具えたポンプを開示する。このテーパの目的は製造時にシリンダーを鋳型から抜き出させることである。ピストンはストローク中に有効に作用するフェザー端部を有したシール部を具えている。この直径５０〜１００ｍｍに対して０．１５ｍｍのテーパは本願発明のものとは比較できない程度である。なぜなら、チャンバーの２つの離れた断面間の面積減少は非常に小さく（約０．５％）、実質的に作用に何ら影響を及ぼさないからである。また、ポンプ内の圧力も非常に低い。本願発明のピストンはこれとは比較にならないほど大きなテーパを具えている。問題は発生しない。なぜなら、本願発明のピストンは大きな断面積の変化を克服するように設計されているからである。図示されている本願発明のテーパは実体的なものであり、ＧＢ２０７０７３１Ａの場合のように誇張されているものではない。
【発明の概要】
【０００９】
本願発明の目的は、チャンバーとピストンの組合せ構造体を利用した安価で高性能な装置の提供である。
【００１０】
この装置はピストンポンプとして利用できるが、アクチュエータ、ショックアブソーバ、モータ等々としても利用できる。手動ピストンポンプはポンプ作動時間を犠牲にすることなく使用目的に合わせて快適に利用できる。本願発明は前記の問題を全て解消する。
【００１１】
一般的に、例えばポンプ用のチャンバーとピストンの組合せ構造体の設計には次のことが考慮されなければならない。すなわち、ポンプ作動力はユーザーが快適と感じられるものであること、ストローク距離は（特に女性や子供に対して）適度であること、ポンプ作動時間が短いこと、並びに、ポンプ部品数が少なく保守が容易であることが考慮されなければならない。
【００１２】
本願発明は次の構造を有したピストンとチャンバーの組合せ構造体を提供する。
【００１３】
チャンバーは長形であり、第１ポジションで第１断面を有し、第２ポジションで第２断面を有し、第２断面は面積が第１断面の９５％以下であり、チャンバーの断面の変化は第１ポジションと第２ポジションとの間では連続的であり、
ピストンはチャンバーの第１ポジションから第２ポジションに移動するときチャンバーの断面変化に対応することができる。
【００１４】
本明細書において使用する“断面”は好適には長軸に対して垂直方向である。
【００１５】
第１ポジションから第２ポジションに移動する際に、ピストンはチャンバーの内壁に密着する必要があるため、チャンバーの断面の変化は好適には実質的に連続的なものである。
【００１６】
本明細書におけるチャンバーの“断面積”とは選択された断面における内側空間の断面積である。
【００１７】
よって、チャンバー内部空間の面積はいくつもの要素の組合せで決定される。
【００１８】
１好適実施例では、組合せ構造体はポンプであり、ピストンの移動で空気が圧縮され、バルブを介して、例えばタイヤ内に圧縮空気が排出される。ピストンの断面積とバルブの反対側の圧力とによってバルブを通過する空気流を提供するための力が決定される。従って力の調整が必要である。提供される空気量はピストン面積によって影響を受ける。しかし、空気を圧縮するためのピストンの最初のストロークは比較的に軽い（圧力は比較的に低い）。よってこの作用は大きな面積で行うことができる。多量の空気は所定長の１回のストローク中に所定の圧力で提供される。
【００１９】
面積の減少程度は組合せ構造体の使用目的と作用力によって決定される設計事項である。
【００２０】
好適には、第２断面積は第１断面積の９５〜１５％、さらに好適には９５〜７０％である。状況によっては第２断面積は第１断面積の約５０％である。
【００２１】
この組合せ構造体の提供にはいくつかの異なる技術が利用できる。これら技術は後述する。
【００２２】
その１つの技術によるピストンは、
共通部材に回転式に固定された実質的に剛体である複数の支持部と、
チャンバーの内壁とシール状態にあり、支持部によって支持された弾性変形手段と、
を含んでおり、支持部は長軸に対して１０°から４０°の範囲で回転できる。
【００２３】
この状態で、共通部材はユーザーにより使用されるハンドルに取り付けられ、支持部はハンドルから離れる方向でチャンバー内を延びている。
【００２４】
好適には、支持部は回転式であり、長軸に対して略平行に提供される。
【００２５】
また、この組合せ構造体は支持部をチャンバーの内壁に押し付けるバイアス手段をさらに含んでいる。
【００２６】
別な技術によるピストンは変形材料を含んだ弾性変形コンテナーを含んでいる。
【００２７】
この場合、変形材料は流体、例えば水、蒸気、及び／又は気体あるいはフォーム体である。
【００２８】
長軸方向の断面にて、コンテナーは第１軸方向で第１形状を有し、第２軸方向で第２形状を有している。第１形状は第２形状とは異なる。
【００２９】
変形材料の少なくとも一部は圧縮（体積減少）される。第１形状は第２形状よりも面積が大きい。
【００３０】
あるいは、変形材料は実質的に非圧縮性（体積不変）である。
【００３１】
ピストンは変形コンテナーと連通するチャンバーを含んでいる。チャンバーは可変容積を有している。
【００３２】
別の技術によれば、第１断面形状は第２断面形状とは異なる。チャンバーの断面形状の変化は少なくとも実質的に第１ポジションと第２ポジションとの間で連続的である。
【００３３】
この場合、第１断面積は第２断面積よりも、少なくとも５％、好適には少なくとも１０％、例えば少なくとも２０％、好適には少なくとも３０％、例えば少なくとも４０％、好適には少なくとも５０％、例えば少なくとも６０％、好適には少なくとも７０％、例えば少なくとも８０％、例えば少なくとも９０％大きい。
【００３４】
例えば第１断面形状は略円形である。第２断面形状は、例えば長円あるいは楕円であり、第１寸法は別角度の寸法の少なくとも２倍、例えば少なくとも３倍、好適には少なくとも４倍の長さである。
【００３５】
第１断面形状は略円形であり、第２断面形状は複数の丸突起部分を有しているものでもよい。
【００３６】
加えて、第１ポジションの断面で、チャンバーの第１周囲は第２ポジションの断面での第２周囲の８０〜１２０％、例えば８５〜１１５％、好適には９０〜１１０％、例えば９５〜１０５％、好適には９８〜１０２％の長さである。好適には第１周囲と第２周囲の長さは略同一である。
【００３７】
オプション的な別技術によるピストンは、
チャンバーの第１ポジションから第２ポジションへと移動するときチャンバーの断面形状に即して弾性的に変形できる材料と、
長軸に沿って中央軸を有したコイル型平バネと、を具えている。このバネ（スプリング）は弾性変形材料に隣接して提供され、弾性変形材料を長軸方向で弾性的に支持する。
【００３８】
この場合、ピストンは弾性変形材料とバネとの間にいくつかの平型支持手段を含んでいる。この平型支持手段はバネと弾性変形材料との間のインターフェースに沿って回転できる。
【００３９】
この支持手段は第１ポジションから第２ポジションに回転するように提供することができる。第１ポジションでその外側境界は第１断面領域内に存在し、第２ポジションでは第２断面領域内に存在する。
【００４０】
本願発明の別の特徴によるピストンとチャンバーの組合せ構造体のチャンバーは長軸を具え、
第１ポジションで第１断面を有し、第２ポジションで第２断面を有しており、第１断面は第２断面よりも大きく、チャンバーの断面積の変化は第１断面と第２断面との間で連続的であり、
ピストンはチャンバーの第１ポジションから第２ポジションに移動するときチャンバーの断面形状変化に即応することができ、
ピストンは共通部材に回転式に固定された複数の剛体支持部と、
チャンバーの内壁に対してシール状態とさせるように支持部によって支持された弾性変形手段と、
を具えており、支持部は長軸に対して１０°から４０°の範囲で回転できるものである。
【００４１】
好適には支持部は長軸に対して略平行に提供される。
【００４２】
よって、ピストンが異なる面積や形状に即応する１つの方法は、ピストンにシール手段を保持したいくつかの回転固定手段を提供することである。１好適実施例ではピストンは傘形状に提供されている。
【００４３】
好適には、組合せ構造体をポンプとして使用する場合、共通部材はユーザーが使用するハンドルに取り付けられており、支持部はチャンバー内をハンドルから離れる方向に延びている。このアレンジで、ハンドルをチャンバー内に押し入れる圧力が増大し、支持手段とシール手段はチャンバーの壁に押し付けられてシール状態が向上する。
【００４４】
ストローク後にもシール状態を確保するため、組合せ構造体は支持部をチャンバー内壁に押し付けるバイアス手段を含んでいる。
【００４５】
本願発明の第３の特徴によるピストンとチャンバーの組合せ構造体のチャンバーは長軸を有した長形チャンバーであり、
第１ポジションに第１断面積を有し、第２ポジションに第２断面積を有しており、第１断面積は第２断面積よりも大きく、チャンバーの断面積の変化は第１ポジションと第２ポジションとの間で連続的であり、
ピストンは第１ポジションから第２ポジションに移動するときにチャンバーの断面積の変化に即応することができ、
ピストンは弾性変形可能な材料で成る弾性変形コンテナーを含んでいる。
【００４６】
よって、弾性変形コンテナーの提供によって面積と形状の変化が提供される。このコンテナーは、チャンバー内でピストンが移動するときにピストンの残り部分と共に移動できるようにピストンに固定されている。
【００４７】
この変形材料は水、蒸気、気体あるいはフォーム体のごとき流体またはそれらの混成体である。この材料あるいはその一部は気体や水と気体の混成体のごとく圧縮可能なものか、ほとんど圧縮できないものである。
【００４８】
断面積が変化するとコンテナーの容積は変化する。従って、コンテナーは第１長軸方向に第１形状を有し、第２長軸方向に第２形状を有することができる。第１形状は第２形状とは異なる。１状況では、変形材料の少なくとも一部は圧縮性であり、第１形状は第２形状よりも大きい。その状況では、コンテナーの全容積は変化し、流体は圧縮性である。オプションでは、ピストンは変形コンテナーと通じる第２チャンバーを有している。そのチャンバーの容積は可変である。そのチャンバーは変形コンテナーが容積を変動させるときに流体を取り入れる。第２コンテナーの容積はユーザーが変動させる。その場合、コンテナーの全圧や最大／最小圧力は変動される。また、第２チャンバーはバネを利用したピストンを含むことができる。
【００４９】
チャンバーの容積を定義し、チャンバー内の圧力をピストンとコンテナーの第２ポジションとの間の流体圧力に関連付けさせる手段を提供することが望ましい。このように、変形コンテナーの圧力を適当なシール状態を提供するように変動させることができる。
【００５０】
簡単な方法は、ピストンとコンテナーの第２ポジションでの圧力とチャンバーの圧力とを同一にする手段を利用することである。この場合、２つの圧力間で単純ピストンが提供される（変形コンテナー内で流体の流出を阻止する）。
【００５１】
このピストンの使用によってピストンが移動するチャンバー内の圧力間の関係は、組合せ構造体の主チャンバーと同様にテーパさせることで調整される。
【００５２】
チャンバー壁との形状／寸法変化による摩擦に対抗させるため、コンテナーは繊維補強のごとき補強手段を含んだ弾性変形材料を含むことができる。
【００５３】
コンテナーとチャンバー壁間の適当なシール状態を達成して維持させるため、ピストン運動中にコンテナーの流体によって発生される内圧が最高外気圧よりも高いことが望ましい。
【００５４】
本願発明のさらに別な特徴によるピストンとチャンバーの組合せ構造体のチャンバーは長軸を具えた長形チャンバーであり、
第１ポジションで第１断面形状を有し、第２ポジションで第２断面形状を有しており、
第１断面形状は第２断面形状とは異なり、第１ポジションと第２ポジションとの間のチャンバーの断面形状は連続的に変化しており、
ピストンはチャンバーの断面形状の変動に即応するものである。
【００５５】
非常に特徴的なことは、異なる形状、例えば、幾何学形状が周囲長と面積との間で変動する関係を有していることである。また、２形状の変化は連続的であり、チャンバーは１つのポジションで１つの断面形状を有し、別のポジションで別の断面形状を有するが、チャンバー内の表面の滑らかな変化は維持されている。
【００５６】
ここで言う“断面形状”とはサイズに関係のない全体的な形状のことである。例えば、２つの円は半径に関係なく同一形状である。
【００５７】
好適には、第１断面積は第２断面積の少なくとも５％、好適には少なくとも１０％、例えば、少なくとも２０％、好適には少なくとも３０％、例えば、少なくとも４０％、好適には少なくとも５０％、例えば、少なくとも６０％、好適には少なくとも７０％、例えば、少なくとも８０％、例えば少なくとも９０％大きい。
【００５８】
１好適実施例においては、第１断面形状は略円形であり、第２断面形状は、例えば、長円、楕円のごとき長体であり、第１寸法は第２寸法の少なくとも２倍、例えば、少なくとも３倍、好適には少なくとも４倍の寸法である。
【００５９】
別な好適実施例では、第１断面形状は略円形であり、第２断面形状は複数の長形丸突起部を有している。
【００６０】
第１ポジションの断面でチャンバーの第１周囲は第２ポジションの断面の第２周囲の８０〜１２０％、例えば、８５〜１１５％、好適には９０〜１１０％、例えば、９５〜１０５％、好適には９８〜１０２％の長さであるとき、多くの利点が得られる。しかし、シール材料が充分なシール状態を提供しつつ、同時にその寸法を変動させなければならないという事実により、変動寸法を有した壁に対してシール状態を提供することは一般的には容易ではない。しかし、周囲の長さが少々変動するだけであればシール状態のコントロールは比較的に容易であろう。好適には第１周囲と第２周囲は略同一長であり、シール材料は曲がるだけで大きく伸びたり縮んだりしない。
【００６１】
あるいは、周囲長を多少変動さえることができ、シール材料を曲げたり変形させるとき、一方側を縮めて他方側を伸ばさせる。シール材料が自動的に“選択”できるような周囲形状を提供することが望ましい。
【００６２】
本願発明の利用できるピストンの１タイプは、
共通部材に回転式に固定された複数の剛体支持部と、
支持部に支持され、チャンバーの内壁に対してシール状態とさせる弾性変形手段と、
を含んでいる。
【００６３】
別タイプのピストンは変形材料で成る弾性変形コンテナーを含んでいる。
【００６４】
本願発明の別な特徴はピストンとチャンバーの別組合せ構造体を提供する。チャンバーは長軸を有した長形チャンバーであり、
第１ポジションで第１断面積を有し、第２ポジションで第２断面積を有しており、第１断面積は第２断面積よりも大きく、第１ポジションと第２ポジションの間の面積変化は連続的であり、
ピストンは、
第１ポジションから第２ポジションに移動するときにチャンバーの断面積の変動に即応することができる弾性変形材料と、
長軸に沿った中央軸を有したコイル型平バネと、
を含んでおり、平バネは弾性変形材料に隣接して設置され、弾性変形材料を長軸方向に支持する。
【００６５】
この実施例は弾性材料の塊をピストンとして提供するだけで諸問題を解決する。材料は弾性であるため、圧力が高まるとピストンの変形の問題とシール状態の劣化の問題を提起する。このことはもし寸法変化が大きいときには問題となる。
【００６６】
本願発明の弾性材料は螺旋平バネで支持されている。螺旋バネはチャンバーの面積に即応して延びたり縮んだりすることができ、材料の平構造はバネが圧力で変形しないようにしている。
【００６７】
バネと変形材料との間の係合面積を増加させるため、ピストンはいくつかの平支持手段を弾性変形材料とバネとの間に設置させることができる。支持手段はバネと弾性変形材料との間のインターフェースに沿って回転できる。
【００６８】
好適には、支持手段は第１ポジションから第２ポジションにまで回転でき、第１ポジションでは外側境界が第１断面領域内に存在し、第２ポジションでは外側境界は第２断面領域に存在する。
【００６９】
本願発明の別な特徴によるピストンとチャンバーの組合せ構造体のチャンバーは、
長軸を有した長形チャンバーを提供し、
ピストンはチャンバー内で第１ポジションから第２ポジションに移動し、
チャンバーは第１ポジションと第２ポジションの間でチャンバー内壁の少なくとも一部に沿って弾性変形内壁を有しており、
チャンバーは第１ポジションで第１断面積を有し、第２ポジションで第２断面積を有しており、第１断面積は第２断面積よりも大きく、第１ポジションと第２ポジションの間の断面積変化は連続的である。
【００７０】
従って、ピストンがチャンバーの断面積変動に対処する組合せ構造体とは異なり、この特徴は即応能力を具えたチャンバーに関する。
【００７１】
当然にピストンは実質的に非圧縮性材料で提供される。または組合せ構造体を前述のピストンのごとき変形ピストンとチャンバーで提供することができる。
【００７２】
好適には、ピストンは断面にて第２ポジションからテーパした形状を有している。
【００７３】
変形チャンバーの好適な提供方法は、
内壁を収容する外側支持構造体と、
外側支持構造体と内壁とで提供される空間の流体と、で提供されるチャンバーを含んでいる。
【００７４】
この場合、流体の選択または流体の組合せで、壁とピストンとのシール状態や作動必要力等のチャンバーの特性が決定される。
【００７５】
組合せ構造体は、ピストンとチャンバーの一方を固定体とし、他方を可動体と定義し、あるいは両方を可動体と定義することができる。このことは本願発明の重要要素ではない。
【００７６】
本願発明の組合せ構造体はいくつかの目的に活用できる。これは主として必要な力のピストンへの移動を調整する追加的な技術を提供する新規な方法によるものである。実際に、断面積または断面形状は、特定の目的と力の提供とを達成させるためにチャンバーに軸に沿って変動される。１目的は女性や子供が容易に使用できるポンプの提供である。この場合、人間工学的に改良されたポンプが提供される。
【００７７】
本願発明の別な利用形態はショックアブソーバの提供である。ショックアブソーバの断面積／断面形状は衝撃の吸収の決定要素である。またアクチュエータも提供される。この場合にはチャンバーへ導入される流体量はピストンの作用を変動させる。
【００７８】
実際に、ピストンの特性、第１ポジションと第２ポジションの相対的ポジション、及びチャンバーに接続されたバルブのアレンジは異なる圧力特性と異なる力特性のポンプ、モータ、アクチュエータ、ショックアブソーバ等々を提供する。
【００７９】
もしピストンポンプがタイヤ膨張用の手動式であれば、ＰＣＴ／ＤＫ９６／０００５５（１９７７年４月１８日の米国一部継続を含む）、ＰＣＴ／ＤＫ９７／００２２３及び／又はＰＣＴ／ＤＫ９８／００５０７に開示された一体型コネクターを利用することができる。これらコネクターは圧力計を一体的に使用することができる。床ポンプ、または車タイヤ用ポンプとして使用されるピストンポンプの場合には、圧力計のアレンジは一体化させることができる。
【００８０】
添付図面４Ａ〜４Ｆ、７Ａ〜７Ｅ、７Ｊ、１２Ａ〜１２Ｃに示すごときピストンはどのようなタイプのチャンバーにも組み入れることができる。
【００８１】
例えば、図３Ａ〜３Ｃに示すような機械式ピストンと図６Ｄ〜６Ｆに示すコンポジットピストンと、図７Ｌに示すような凸タイプの一定周囲長を有したチャンバーの組合せ構造体は好適である。
【００８２】
図９から図１２のコンポジットピストンは周囲長の変化に関係なく凸タイプのチャンバーと相性がよい。
【００８３】
繊維構造のスキン（表面部分）を有した膨張型ピストンはチャンバー内の圧力より大きなピストンの圧力を有している。しかし、チャンバー内と等しいか、それより低い圧力とすることも可能である。得られた形状は図面の形状とは異なっていても構わない。その場合、充填レギュレータの調整は必要である。図９Ｄまたは図１２Ｂに示す充填レギュレーション手段は、そのピストンの移動が、例えばピストンロッドの長さによってピストンの吸引作用となり、ピストンがピストンロッドの穴の他方側であるように構築される。
【００８４】
これら実施例を通じて、女性や子供でも容易に取り扱える汎用ポンプが安価に提供される。図示した圧力チャンバーの壁形状及び／又はピストン手段は例示であり、変更も可能である。本願発明は全てのタイプのポンプにも応用できる。例えば、多段ピストンポンプや双方向機能ポンプ、モータ式ポンプ、ピストンまたはチャンバーだけが運動するものや、両方が同時に運動するものにでも適用できる。いかような封入体でも利用できる。これらポンプはあらゆる種類、例えば、空圧及び／又は油圧式とすることもできる。本願発明は手動ではないものにも適用できる。必要な力の低減は設備投資と作動エネルギーの低減に通じる。チャンバーはインジェクション成型等で提供できる。
【００８５】
ピストンポンプにおいては、封入体がチャンバーに入れられ、バルブのアレンジで内部に封止される。封入体はチャンバー及び／又はピストンの動きで圧縮され、バルブはこの圧縮封入体をチャンバーから吐出す。アクチュエータにおいては、封入体はバルブアレンジを介してチャンバー内に入れられ、ピストン及び／又はチャンバーを動かし、取り付けられた装置の運動を促す。ショックアブソーバではチャンバーは完全に閉じられており、圧縮性封入体はチャンバー及び／又はピストンの動きで圧縮される。非圧縮性封入体の場合には、ピストンにはいくつかの小チャンネルが提供され、動力学的摩擦を提供して制動される。
【００８６】
さらに本願発明は推進作用も提供する。封入体はピストン及び／又はチャンバーを運動させ、例えばモータの軸を回転させる。それらの組合せでも利用できる。
【００８７】
従って、本願発明は流体をポンプ処理するポンプにも関する。このポンプは、前述の特徴の組合せ構造体と、チャンバーの外側のポジションからピストンに係合させる手段と、チャンバーに接続された流体インレットとバルブ手段と、チャンバーに接続された流体アウトレットと、を含んで構成されている。
【００８８】
１実施形態では係合手段はピストンが第１ポジションにある外側ポジションと、ピストンが第２ポジションにある内側ポジションを有することができる。このタイプのポンプは圧力がかけられた流体の提供に好適である。
【００８９】
別実施形態では係合手段はピストンが第２ポジションにある外側ポジションと、ピストンが第１ポジションにある内側ポジションを有している。このタイプのポンプは流体を移動させるだけで圧力が不要である場合に好適である。
【００９０】
ポンプが床に立てられて、空気等が下方に圧縮される場合には、最大力は人間工学的に最下部で提供される。よって、第１状況では最高圧は最下部で提供される。別状況では最大面積で最大容量が最下部で提供される。しかし、例えば、タイヤの圧力を超える圧力がタイヤのバルブを開くために必要であるため、最小断面積は最下部の手前に存在するのが望ましい。バルブを開く圧力と大きな断面積とを同時に提供するためである（図２Ｂ参照）。
【００９１】
本願発明はショックアブソーバにも関係する。ショックアブソーバは、前述の組合せ構造体と、チャンバーの外側からピストンに係合させる手段で、ピストンが第１ポジションにあるとき外側ポジションを有し、第２ポジションにあるとき内側ポジションを有する手段とを含んでいる。
【００９２】
アブソーバはチャンバーに接続された流体インレットとバルブ手段とをさらに含んでいる。アブソーバはチャンバーに接続された流体アウトレットとバルブ手段とを含むこともできる。
【００９３】
チャンバーとピストンが流体を含んだ密閉キャビティを形成することが望ましい。流体は第１ポジションから第２ポジションに移動するときに圧縮される。通常は、アブソーバはピストンを第１ポジション側に押圧するバイアス手段を含んでいる。
【００９４】
本願発明はアクチュエータにも関する。このアクチュエータは、前述の組合せ構造体と、チャンバーの外側のポジションからピストンに係合させる手段と、  流体をチャンバー内へ導入し、ピストンを第１ポジションから第２ポジションに移動させる手段とを含んでいる。
【００９５】
アクチュエータはチャンバーに接続された流体インレットとバルブ手段とを含むことができる。チャンバーに接続された流体アウトレットとバルブ手段とをさらに提供できる。加えて、アクチュエータはピストンを第１ポジションまたは第２ポジション方向に押圧するバイアス手段を含むことができる。
【図面の簡単な説明】
【００９６】
【図１】図１は、固定径のシリンダーとピストンを具えた１段階単方向ピストンポンプのインジケータ線図である。
【図２】図２Ａは、本願発明のピストンポンプのインジケータ線図であり、Ａはピストンが運動するものであり、Ｂはチャンバーが移動するものである。図２Ｂは、本願発明のポンプのインジケータ線図であり、横断面は増加圧力のためにポンプストロークの１点から増大している。
【図３】図３Ａは、ストローク中に放射-軸方向に変化する寸法を具えたチャンバーとピストンの固定された異なる横断面積を有したポンプの縦断面図であり、ピストンアレンジはポンプストロークの開始部と終了部で示されている（実施例１）。図３Ｂは、ストロークの開始部での図３Ａのピストンアレンジの拡大図である。図３Ｃは、ストロークの終了部での図３Ａのピストンアレンジの拡大図である。図３Ｄは、本願発明の床ポンプのチャンバーの縦断面図であり、作動力をほぼ一定にする寸法で提供されており、従来の低圧シリンダーポンプ（点線）と高圧シリンダーポンプ（破線）と比較されている。
【図４】図４Ａは、ストローク中に放射-軸方向に変化する寸法を具えたチャンバーとピストンの固定された異なる横断面積を有したポンプの縦断面図であり、ピストンアレンジはポンプストロークの開始部と終了部で示されている（実施例２）。図４Ｂは、ストロークの開始部での図４Ａのピストンアレンジの拡大図である。図４Ｃは、ストロークの終了部での図４Ａの拡大図である。図４Ｄは、図４ＢのＡ-Ａ線の断面図である。図４Ｅは、図４ＣのＢ-Ｂ線の断面図である。図４Ｆは、図４Ｄのローディング部分の別例である。
【図５】図５Ａは、ストローク中に放射-軸方向に変化する寸法を具えたチャンバーとピストンの固定された異なる横断面積を有したポンプの縦断面図であり、ピストンアレンジはポンプストロークの開始部と終了部とで示されている（実施例３）。図５Ｂは、ストロークの開始部での図５Ａのピストンアレンジの拡大図である。図５Ｃは、ストロークの終了部での図５Ａの拡大図である。図５Ｄは、図５ＡのＣ-Ｃ線の断面図である。図５Ｅは、図５ＡのＤ-Ｄ線の断面図である。図５Ｆは、コンポジット材料で成るシール手段を具えたピストン手段を有した図５Ａのチャンバーを示している。図５Ｇは、ストローク中の図５Ｆのピストン手段のピストン手段の拡大図である。図５Ｈは、ストローク終了部での図５Ｆのピストン手段の拡大図であり、圧力が加えられている場合と、圧力が加えられていない場合の両方を示している。
【図６】図６Ａは、チャンバーの固定された異なる断面積を具えたポンプの縦断面図であり、第４実施例による、ストローク中に放射-軸方向に変化する寸法を具えたピストンのポンプストロークの開始部と終了部とを示している。図６Ｂは、ストロークの開始部での図６Ａのピストンアレンジの拡大図である。図６Ｃは、ストロークの終了部での図６Ａのピストンアレンジの拡大図である。図６Ｄは、図６Ａのチャンバーを示しており、第５実施例による、ストローク中に放射-軸方向に変化する寸法を具えたピストンのポンプストロークの開始部と終了部とを示している。図６Ｅは、ストロークの開始部での図６Ｄのピストンアレンジの拡大図である。図６Ｆは、ストロークの終了部での図６Ｄのピストンアレンジの拡大図である。
【図７】図７Ａは、固定寸法を具えたチャンバーの壁に凹部を含んだポンプの縦断面図であり、第６実施例による、ストローク時に放射-軸方向に変化する寸法を有したピストンのストロークの開始部と終了部でのピストンアレンジを示している。図７Ｂは、ストロークの開始部での図５Ａのピストンアレンジの拡大図である。図７Ｃは、ストロークの終了部での図５Ａのピストンアレンジの拡大図である。図７Ｄは、図７ＢのＥ-Ｅ線の断面図である。図７Ｅは、図７ＣのＦ-Ｆ線の断面図である。図７Ｆは、周囲サイズが一定であり、横断面積が減少するチャンバーのフーリエ級数拡大(Fourier Series Expansion)による横断面の実施例を示している。図７Ｇは、図７Ａのチャンバーの変形例を示しており、これはポンプストローク中に周囲サイズはほぼ一定であるか、少々減少するが、断面積は増加するように設計された固定横断面を具えた縦断面を有したものである。図７Ｈは、図７Ｇの横断面Ｇ-Ｇ線（点線）と縦断面のＨ-Ｈ線を示している。図７Ｉは、図７Ｈの横断面Ｇ-Ｇ線（点線）と縦断面のＩ-Ｉ線を示している。図７Ｊは、図７ＨのＨ-Ｈ断面で図７Ｂのピストンの別例を図示している。図７Ｋは、周囲サイズが一定であり、横断面積が減少するチャンバーのフーリエ級数拡大による横断面の他の実施例を示している。図７Ｌは、規制された条件下での横断面の好適凸形状の実施例を示している。図７Ｍは、規制された条件下での横断面の好適非凸形状の実施例を示している。
【図８】図８Ａは、固定寸法を具えたチャンバーの壁に凹部を含んだポンプの縦断面図であり、第７実施例による、ストローク時に放射-軸方向に変化する寸法を有したピストンのストロークの開始部と終了部でのピストンアレンジを示している。図８Ｂは、ストロークの開始部でのピストンアレンジの拡大図である。図８Ｃは、ストロークの終了部でのピストンアレンジの拡大図である。
【図９】図９Ａは、固定された異なるチャンバーの横断面積を具えたポンプの縦断面図であり、ストローク中に放射-軸方向に変化する寸法を具えたピストンの第８実施例を示している。図９Ｂは、ストロークの開始部での図９Ａのピストンアレンジの拡大図である。図９Ｃは、ストロークの終了部での図９Ａのピストンアレンジの拡大図である。図９Ｄは、異なるアレンジを有した図９Ｂのピストンを示している。
【図１０】図１０Ａは、固定されたチャンバーの異なる横断面積を具えた図９Ａの１つに類似したピストンの第９実施例を示している。図１０Ｂは、ストロークの開始部での図１０Ａのピストンの拡大図である。図１０Ｃは、ストロークの終了部での図１０Ａのピストンの拡大図である。
【図１１】図１１Ａは、固定されたチャンバーの異なる横断面積を具えたポンプの縦断面を示しており、ストローク中に放射-軸方向の寸法が変化するピストンの第１０実施例のポンプストロークの開始部と終了部でのピストンアレンジを示している。図１１Ｂは、ストロークの開始部での図１１Ａのピストンの拡大図である。図１１Ｃは、ストロークの終了部での図１１Ａのピストンの拡大図である。
【図１２】図１２Ａは、固定されたチャンバーの異なる横断面積を具えたポンプの縦断面を示しており、ストローク中に放射-軸方向の寸法が変化するピストンの第１１実施例のポンプストロークの開始部と終了部でのピストンアレンジを示している。図１２Ｂは、ストロークの開始部での図１２Ａのピストンの拡大図である。図１２Ｃは、ストロークの終了部での図１２Ａのピストンの拡大図である。
【図１３】図１３Ａは、固定幾何サイズを具えたチャンバーとピストンの可変である異なる断面積を有したポンプの縦断面を示しており、ポンプストロークの開始部と終了部での組合せ構造体のアレンジが示されている。図１３Ｂは、ポンプストロークの開始部での組合せ構造体のアレンジの拡大図である。図１３Ｃは、ポンプストローク中の組合せ構造体のアレンジの拡大図である。図１３Ｄは、ポンプストロークの終了部での組合せ構造体のアレンジの拡大図である。
【図１４】図１４は、可変幾何サイズを具えたチャンバーとピストンの可変である異なる断面積有したポンプの縦断面を示しており、ポンプストロークの開始部、ストローク中及びストロークの終了部での組合せ構造体のアレンジが示されている。
【発明を実施するための形態】
【００９７】
本願発明の好適実施例を図面を利用して説明する。添付の図面の“横断面”とはピストン及び／又はチャンバーの移動方向と垂直な断面である。“縦断面”とはその移動方向に沿った断面である。
【００９８】
図１は所謂インジケータ線図である。この図は、固定径を有したシリンダーを具えた伝統的な１段階単方向作用式ピストンポンプの圧力Ｐとポンプストローク容積Ｖとの関係を概略的に示している。ストロークあたりに適用される作動力の増加は図から直接的に読み取れ、シリンダー径に対して２次的に変化する。圧力Ｐと作動力Ｆは、通常は膨張対象物のバルブが開くまでストローク中に増加する。
【００９９】
図２Ａは本願発明のピストンポンプのインジケータ線図である。圧力Ｐは従来ポンプのものに類似しているが、作動力は異なり、チャンバーの選択横断面積に全面的に影響され
る。これは全面的に設計によって決定される。例えば、作動力は所定の最大値を超えるべきではなく、あるいは、作動力のサイズは人間工学的な要求に従って変動する。このことは、例えば水ポンプの場合と同様に、手動ポンプが圧力の大きな変化を発生させずに封入体を移動させる場合に特に重要である。チャンバーの縦断面及び／又は横断面の形状はどのようなものでもよい。例えば横断面を増加する圧力で増大させることも可能である（図２Ｂ）。作動力の１例は破線の太線１または２である。異なる壁の可能性１と２は図の線１と２に対応する。Ａ断面図はピストンが運動するポンプに関係し、Ｂ断面図はチャンバーが運動するポンプに関係する。両方の運動の同時的組み合わせも可能である。
【０１００】
図２Ｂは増加する圧力で増大する横断面を備えたチャンバーを有したピストンポンプのインジケータ線図の１例である。
【０１０１】
図３Ａ、３Ｂ、３Ｃ、３Ｄは第１実施例の詳細を示している。ピストンはチャンバー内を移動する。チャンバーは、気体及び／又は液体の封入体の圧力が増加するときに増大する径を有した円形横断面を具えた円筒及び円錐台を含んでいる。これは作動力が所定の最大値を超えないような設計に基いている。種々な径の変動は緩やかで滑らかである。すなわち、ピストンはチャンバー内で容易に移動でき、シール状態を維持しながら横断面の変化する面積及び／形状に容易に即応できる。もし作動力が増加する圧力で低下するなら、ピストンの横断面積は増加し、周囲長も増加する。周囲長の短縮は締め付けレベルへの圧力または緩める力に基く。ピストン手段の縦断面は、チャンバーの壁に対して、例えば４０°以下である可変角αを有した台形であり、後方には変形しない。シール手段の寸法はストロークごとに３つの寸法で変化する。ピストン手段の支持部、例えばシール手段のディスクまたは一体リブは、圧力による変形に対抗してピストンのポンプストローク中に非圧縮側に配置される。ピストン手段のローディング部分、例えばいくつかの部分を有したバネ座金は、例えばピストンの圧力側に搭載される。これでフレキシブルなシール部分を
壁側で絞る。このことは、もしポンプがしばらく使用されておらず、ピストン手段がしばらく形状維持されているときに有利である。ピストンロッドを移動させることで、ピストン手段のシール部分の台形断面の側部は軸方向と放射方向に押され、ピストンのシールエッジはチャンバーの減少する直径に追随する。ストロークの終了部で中央のチャンバーのボトムはデッドスペースの容積を減少させるために高くなっている。ピストンロッドは、チャンバーをロックするキャップ内でガイドされる。ピストンが両方に移動する際にチャンバーの壁に対してシール作用するためピストンロッドはスプリング式バルブを具えたイレットチャンネルを具えている。これはチャンバーの過圧状態では閉鎖される。ピストン手段のローディング部分を使用せずにはこの別体のバルブは余計である。本願発明のポンプの設計では、ポンプの部材は作動力に対して最良化されている。ポンプの内径は現存ポンプのものよりポンプチャンバー長の主要部分においては長い。よって、残りの部分の容積が現存ポンプよりも小さくとも全体的容積は大きい。これでポンプは現存のポンプよりも速くポンプ作用を提供することができ、必要な最大作動力は大きく減少され、利用が快適である。チャンバーの長さは減少され、ポンプは実用的になり、女性や子供にも使用が容易である。それでもストロークの容積は現存ポンプのものより大きい。
【０１０２】
図３Ａは、壁部分２、３、４及び５の横断面の異なる断面積部分を具えたチャンバーを有したピストンポンプとピストンロッドとを図示している。キャップ７はピストン手段を停止させ、ピストンロッド６をガイドする。さらに壁２、３、４及び５の間の移行部１６、１７、１８と、チャンバー１の中央軸１９とが図示されている。
【０１０３】
図３Ｂは弾性材料で提供されたシール部８とローディング部９、例えば、セグメント９．１、９．２及び９．３（他のものは省略）を具えたバネ座金と、ロック手段１１の２つの部分間でピストンロッド６に取り付けられたピストン手段の支持部１０を図示している。ピストンロッド６はインレット１２とバルブ１３を有している。ピストン手段のシール部８とチャンバー１の壁２との間の角α１が図示されている。距離ａはシールエッジ３７からストローク開始部での横断面におけるチャンバー１の中央軸までの距離である。
【０１０４】
図３Ｃはアウトレットチャンネル１４と、デッドスペースの容積を減少させる手段１５とを図示している。ピストン手段のシール部８’とチャンバー１の壁５との間の角α２も図示されている。距離ａ’はシールエッジ３７からストローク終了部での横断面におけるチャンバー１の中央軸までの距離である。距離ａ’は距離ａの約４１％である。併せてローディング部９’が図示されている。
【０１０５】
図３Ｄは本願発明の床ポンプ（φｉｎｓｉｄｅ６０−１９．３ｍｍ、長さ５００ｍｍ）のチャンバーの縦断面を図示している。横断面は、作動力がほぼ一定であり、人間工学的
に最適に選択される。このことは本願発明の床ポンプの説明の初歩である。一定の作動力は人間工学的には最適ではない。比較として、現存低圧床ポンプ（φｉｎｓｉｄｅ  ３２ｍｍ、長さ４７０ｍｍ）の断面が点線で示されており、現存高圧床ポンプ（φｉｎｓｉｄｅ  ２７ｍｍ、長さ５５０ｍｍ）が破線で示されている。本願発明の床ポンプはさらに大きなストローク容積を有しており、さらに速くタイヤを膨張させ、現存ポンプよりも低い作動力で作動する。本願発明のチャンバーは全ストローク中に人間工学的に最適な仕様とすることができる。
【０１０６】
図４Ａ、４Ｂ、４Ｃ、４Ｄ、４Ｅ及び４Ｆは本願発明の第２実施例の詳細を図示している。ピストン手段のシール部は弾性変形する材料で提供されており、支持手段で支持されている。これはチャンバーの中央軸と平行な軸の周囲を回転する。この動きの結果、チャンバーの圧力が高いほど大きな面積のシール手段が支持される。支持部のローディング部は支持手段の移動を開始させる。平型スプリングの形態のローディング部はチャンバーの中央線に垂直な方向で寸法を変えることができる。スプリングはチャンバーの圧力が高くなるとさらに剛性となる。軸上のスプリングでも構わない。そこで支持手段が回転する。シール部の直径を減少させることでその長さが増加する。これは、ゴムのように少し圧縮できる弾性変形材料の場合である。よって、ピストンロッドはストロークの開始部でシール手段から飛び出す。シール手段に他の材料が選択されると、その長さは変化せず、あるいはその半径を減少させて長さが減少するかも知れない。
【０１０７】
図４Ａは異なる横断面積の部分を有したチャンバー２１を具えたピストンポンプを図示している。チャンバーは高圧側に冷却リブ２２を有している。チャンバーはインジェクション成型で提供が可能である。さらにピストンロッド２３が図示されている。キャップ２４はピストンロッドをガイドする。ピストン３６はポンプストロークの開始部３６と終了部３６’とで図示されている。
【０１０８】
図４Ｂは弾性変形シール部２５を図示している。これは手段２６（図示せず）でピストンロッド２３に固定されている。ピストンロッド２３のパーツ２７はシール部２５から飛び出ている。支持部２８はピストンリング２３に固定されたリングパーツ２７に掛けられ
ている。支持部２８は軸３０の周囲で回転できる。ローディング部３１はホール３２内でピストンロッド２３へ固定されたスプリングを含んでいる。さらにシールエッジ３８が図示されている。
【０１０９】
図４Ｃは、ピストンロッド２３のパーツ２７が弾性変形したシール手段２５’でほぼカバーされている状態を図示している。シールエッジ３８とチャンバーの中央軸１９との間の距離ａ’は横断面の距離ａの約４０％である。
【０１１０】
図４Ｄは図４ＢのＡ−Ａ線の断面である。ローディング部３１はピストンロッド２３のホール３２の１端で固定されている。支持部２８とリング２９も図示されている。支持部はストップ面３３（図示せず）で停止される。支持部２８はガイド手段３４（図示せず）でガイドされる。
【０１１１】
図４Ｅは図４ＣのＢ−Ｂ線の断面図である。支持手段２８とローディング手段３１はピストンロッド２３の方向へ移動する。さらにリブ２２が図示されている。
【０１１２】
図４Ｆはローディング手段３１の別例である。各軸３０上にはスプリング３５が提供されている。
【０１１３】
図５Ａ、５Ｂ、５Ｃ、５Ｄ、５Ｅ、５Ｆ、５Ｇ、５Ｈは第３実施例の詳細を図示している。シール部は気体及び／又は液体封入体のフレキシブルな不透過膜を含んでいる。この材料は形状保持することなく３方向で寸法を変えることができる。このシール部はＯリングに搭載される。Ｏリングはチャンバーの壁にシールされる。Ｏリングとスプリングはさらに支持手段で支持される。これはピストンロッドに固定された軸の周囲で回転できる。この支持手段にはスプリングを提供することができる。
【０１１４】
図５Ａは図３Ａに類似したピストンポンプの縦断面図である。ポンプストロークの開始部はピストン４９で図示されており、終了部はピストン４９’で図示されている。
【０１１５】
図５Ｂは、ストロークの開始部でのピストン手段を図示している。これはシール手段４０、例えば押圧されるスキンを含んでいる。これはシール手段４１、例えばＯリングに固定されている。このＯリングにはスプリング４２が提供されている。スプリング４２はシール手段４１とシール手段４２の周囲に提供されている。スプリング４２の中央軸３９がさらに図示されている。Ｏリング４１及び／又はスプリング４２は支持手段４３によって支持されている。支持手段４３は、ピストンロッド４５に取り付けられ、中央軸１９とは垂直な軸４４周囲を回転できる。それはポンプ圧縮ストローク中の圧縮でローディングされた所定量の別支持部４３’を含んでいる。これらはシール手段４０、４１とローディング（スプリング）手段４２の周囲に設置される。支持手段４３はスプリング４６によってローディングされる。チャンバー２の壁と支持手段４３の間には角β１が存在する。ピストンロッド４５はインレットもバルブも具えてはいない。支持リング及び／又はローディングリングはスプリングの形態でスプリング４２（図示せず）の代用としてＯリングに搭
載できる。シールエッジ４８がさらに図示されている。
【０１１６】
図５Ｃはストローク終了部でのピストン手段を図示している。シール手段４０’、４１’はストローク開始部でのシール手段４０、４１よりも厚い。スプリング４６’がさらに図示されている。壁５とストローク終了部での支持手段４３の間は角β２である。シールエッジ４８とチャンバーの中央軸１９の間の距離ａ’は、この断面のストロークの開始部での距離ａの約２２％である。短い距離、例えば１５％、１０％、５％は可能であり、ピストンロッド上のピストンの懸垂の構造にのみ依存する。従って、これも全ての他の実施例に対して有効である。
【０１１７】
図５Ｄは支持手段４３、軸４４、ブラケット４７を具えた図５ＡのＣ−Ｃ線の断面図である。
【０１１８】
図５Ｅは図５ＡのＤ−Ｄ線の断面図である。
【０１１９】
図５Ｆは図５Ｇのピストン１１８と図５Ｈのピストン１１８’のチャンバー内の２ポジションを図示している。
【０１２０】
図５Ｇは、コンポジット材料で成るピストンを図示している。これは弾性不透過性材料のスキン１１０と繊維１１１を含んでいる。繊維体は内圧を受けるとドーム状となる。この形状はピストン移動を安定させる。代案として、シール手段はライナー、繊維及びカバー（図示せず）を含むことができる。ライナーがタイトでなければ、不透過性スキンを加えることができる（図示せず）。ピストンの圧縮側の全材料はチャンバーの特定の環境による要求を満たす。スキンはシール部１１２内に搭載される。スキンとシール部内にスプリング式リング１１３が搭載され、弾性的に変形する。それはリング１１４のローディングを補強する。シールエッジ１１７がさらに図示されている。
【０１２１】
図５Ｈはポンプストロークの終了部での図５Ｇのピストンを図示している。ドームはまだ過圧状態であれば形状１１５に圧縮される。
【０１２２】
図６Ａ、６Ｂ及び図６Ｃは第４実施例の詳細を図示している。ピストン手段は補強材、例えば繊維材が巻き付けられたゴム管を含んでいる。補強材の接線とホースとの間の中立角（所謂、紐角）は数学的に５４°４４’である。補給材が伸びない限り、内圧を受けるホースは寸法（長さ、直径）を変えない。この実施例ではピストン手段の直径は、圧力の増加に伴うチャンバーの断面の直径の増加に対して減少する。紐角は中立角よりも大きくあるべきである。チャンバーの縦断面の主要部の形状はピストン手段の作用のために錐形である。ポンプストロークの終了部での圧縮封入体がチャンバーから取り除かれるとき、ピストン手段はその直径を増加させ、長さは減少する。直径の増加は問題を提起しない。ピストンとチャンバーの壁とのシール力は圧力の増加で増大する。このことは紐角の選択で可能である。ピストンの直径をチャンバーの横断面の直径の減少よりも多少小さく減少させる。従って、紐角は中立よりも小さくなるように、及び／又は中立となるように選択できる。一般的に、紐角の選択は設計仕様に依存する。紐角をピストンの部位によって変
えることもできる。別の可能性は、ピストンの断面で、いくつかの補強層に同一及び／又は異なる紐角を提供することである。いかなるタイプの補強材及び／補強パターンでも利用できる。補強層の場所はピストンの縦断面のどこでもよい。ライニング及び／又はカバーの数は複数でもよい。カバーは無くても構わない。ピストン手段はローディング手段と支持手段を含むこともできる。チャンバーの断面積の大きな変化に対応するため、ピストン手段の多少異なる構造が必要となる。錐体は引っ張られた状態の繊維を含んでいる。繊維はピストンロッドの近くで錐体のトップとピストンロッドのボトムの錐体の開口側に巻き付けられている。ピストンロッド自体に固定されてもよい。繊維のパターンは圧力の形態に対応させるように決定する。繊維をライナー上に緩く提供することも、ライナーとカバーの間のチャンネルに緩く提供することもできる。あるいは一方あるいは両方と一体化させることもできる。錐体の下に圧力が存在しないときには壁への適当なシール状態を得るためにローディング手段が必要である。このローディング部、例えば、リング形態、プレート形のスプリング部材を、例えば成型工法でスキン内に提供することができる。ピストンロッド上の錐体の懸垂は前述の実施例に勝る。なぜなら、ピストンはテンションを有してローディングできるからである。よって、バランスがよくなり、使用材料も少なくて済む。ピストンのスキンとカバーは弾性変形材料で提供される。繊維は適当な材料製の弾性または剛性である。
【０１２３】
図６Ａはチャンバー６０を具えたポンプの縦断面である。壁部６１、６２、６３、６４、６５は円筒状６１、６５と錐形６２、６３、６４である。ピストン間の移行部は６６、６７、６８、６９である。ポンプストローク開始部でのピストンは５９であり、終了部でのピストンは５９’である。
【０１２４】
図６Ｂはピストン手段５０と補強材５１を具えたホースを示す。ホースはクランプ５２等でピストンロッドに固定されている。ピストン６はリブ５６、５７を有している。リブ５６はピストン手段５０がピストンロッド６に対してキャップ７側に移動することを防止する。ホースの外側で突起５３がチャンバー６０の壁６１にシール状態を提供している。補強体５１とは別に、ホースはライニング５５を含んでいる。例としてカバー５４も図示されている。ピストン手段の縦断面の図示形状はほんの１例である。さらにシールエッジ５８が図示されている。
【０１２５】
図６Ｃはストロークの終了部でのピストン手段を図示している。気体及び／又は液体封入体は圧力を受けている。ピストン手段は放射状での直径の変化のみが発生するように設計できる。
【０１２６】
図６Ｄは図６Ｅのピストン１８９と図６Ｆのピストン１８９’を図６Ａのチャンバーのポンプストロークの開始部と終了部での状態で図示している。
【０１２７】
図６Ｅは頂角２ε１を有した円錐体形状を具えたピストン手段を図示している。チャンバー側は過圧状態ではない。それはピストンロッド１８０のトップに搭載されている。円錐体はピストンの圧力側で開いている。カバー１８１はシールエッジ１８８を具えた突起１８２として図示されるシール部と、挿入されたスプリング部材１８３と、支持手段としての繊維と、ライナー１８５とを含んでいる。スプリング部材１８３はカバーをローディバー側に過圧が存在しなければチャンバー壁をシールする。繊維１８４はチャンネル１８６内に存在でき、カバー１８１とライナー１８５との間に提供されている。ライナー１８５は不透過性である。もしそうでなければ、圧力側で別体の層２０９（図示せず）がライナー１８５に搭載される。繊維は円錐体の頂部でピストンロッド１８０に搭載される。ピストンロッド１８０のボトムでも同様である。
【０１２８】
図６Ｆはストロークの終了部でのピストン手段を図示している。頂角は２ε２であり、シールエッジ１８８とチャンバーの中央軸１９との間の距離ａ’は、その断面のストローク開始部での距離ａの約４４％である。
【０１２９】
図７Ａ、７Ｂ、７Ｃ、７Ｄ、７Ｅはポンプの第５実施例を図示している。このポンプは、別のコンポジット構造を有したピストンを具えており、弾性である基礎材料を含んでいる。自身でタイトな状態とならなければ、例えば、ピストン手段の圧力側のフレキシブルな膜体でタイトな状態とされる。軸方向の剛性はいくつかの一体スティッフナーで提供される。ピストンの縦断面でスティッフナーはピストン手段の軸方向と平面方向との間でいくつかの角度に提供される。圧力比が高ければ高いほど、これらの角度は減少し、軸方向に近づく。力は支持手段、例えば座金に伝達される。座金はピストンロッドに接続されている。ピストン手段は安価に大量生産できる。スティッフナーとフレキシブルな膜体のシール手段は基礎材料にて１工程でインジェクション成型できる。スティッフナーはトップに接着できる。膜体をモールド工程中あるいはその後に基礎材料内で“バーニング”処理して製造することもできる。これは基礎材料が熱可塑性の場合に好都合である。ヒンジは“バーニング“処理すべきではない。
【０１３０】
図７Ｆ、７Ｇ、７Ｈ、７Ｉ、７Ｊ、７Ｋ、７Ｌ、７Ｍはチャンバーの実施例と、チャンバーにフィットするピストンの第６実施例を図示している。ピストンの第６実施例は図７Ａ、７Ｂ、７Ｃ、７Ｄ、７Ｅの変形である。移動方向の２つのポジション間のピストン及び／又はチャンバーの横断面積の変化を連続的とし、変化が大きくて漏出につながれば、断面の他のパラメータの変更を最小にすることは有利である。これは、例えば、円形断面（固定形状）を使用して説明できる。この円形断面は周囲がπＤであり、面積は１／４πＤ２（Ｄは直径）である。すなわち、Ｄの減少は円周の一次形態の減少をもたらし、面積の二次形態減少をもたらす。周囲の長さを維持して面積だけを減少させることも可能である。形状が固定されていれば、所定の最小面積が存在する。形状がパラメータである高等数学計算は以下に提供したフーリエ級数式で行うことができる。チャンバー及び／又はピストンの横断面はどのような形状でもよく、少なくとも１本の曲線で定義できる。曲線は閉鎖しており、２つのユニークなモジュラーパラメータ化フーリエ級数式で定義される。
【数１】
2014142067.tif 000003
【０１３１】
Ｃｐ＝ｆ（ｘ）のコサイン加重平均値
ｄｐ＝ｆ（ｘ）のサイン加重平均値
ｐ＝三角法縦横比のオーダ
図７Ｆ、７Ｋは下記の公式で異なるパラメータセットを使用した曲線の例を図示している。さらに多くの係数が使用されれば最良曲線を見つけることが可能である。それらは他の重要な要求を満たす。例えば、曲線が最大半径及び／又は所定の最大値を超えない前提で、シール部の最大張力を有している曲線移行部が得られる。次の例を挙げる。図７Ｌ、７Ｍは最良化凸曲線と非凸曲線を図示している。これらは規制下の平面の境界領域の可能な変形に使用される。規制条件とは境界曲線の長さが固定されており、その曲率が最小となることである。開始面積と開始境界長を使用することで、所定の望む目標面積に対する最小曲率を得ることができる。
【０１３２】
チャンバーの主として縦断面に図示されているピストンは横断面の境界曲線が円形である場合に対するものである。すなわち、チャンバーが、例えば図７Ｆ、７Ｋ、７Ｌ、７Ｍの非円形に従って横断面を有している場合には、ピストンの縦断面は異なるであろう。
【０１３３】
全種類の閉鎖曲線はこの公式で示される。例えば、Ｃ曲線（ＰＣＴ／ＤＫ９７／００２２３、図１Ａ）。これら曲線の１つの特徴は、断面の線が数学極から引かれると、その直線は曲線と少なくとも１回交わる。断面では曲線は直線に対して対称であり、シングルフーリエ級数によって発生が可能である。ピストンまたはチャンバーは横断面の曲線が、数学極を通過する断面に存在する直線に対して対称であるときに容易に提供できる。このような通常の曲線はシングルフーリエ級数で定義できる。
【数２】
2014142067.tif 000004
【０１３４】
ｃｐ＝ｆ（ｘ）の加重平均値
ｐ＝三角法縦横比のオーダー
直線が数学極から引かれると、曲線と１回だけ交わる。
【０１３５】
チャンバー及び／又はピストンの断面の特定形状断面は次の式で定義される。
【数３】
2014142067.tif 000005
【０１３６】
ｃｐ＝ｆ（ｘ）の加重平均値
ｐ＝三角法縦横比のオーダー
極座標のこの断面は次の式で表される。
【数４】
2014142067.tif 000006
【０１３７】
ｒ＝アクティベートピンの円形断面の“花弁”の制限
ｒ０＝アクティベートピンの軸周囲の円形断面の半径
ａ＝“花弁”の長さのスケールファクター
ｒｍａｘ＝ｒ０  ＋  ａ
ｍ＝“花弁”幅の定義用パラメータ
ｎ＝“花弁”数の定義用パラメータ
ψ＝曲線を囲む角度
インレットは、ピストン手段のシール部の特性に鑑みてストロークの終了部に近く配置される。
【０１３８】
これら特定のチャンバーはインジェクション成型で製造が可能である。スーパープラスチック成型法でアルミニウムシートを熱し、空気圧でプレスして成型させることもできる。
【０１３９】
図７Ａは、チャンバー７０を具えたピストンポンプを、円筒部７１、連続凹曲部７３への移行部７２、円筒部７５への別移行部７４との縦断面で図示している。ピストン手段７６と７６’はポンプストロークの終了部でのそれぞれの開始部で図示されている。アウトレットチャンネル７７の端部にはチェックバルブ７８（図示せず）が搭載できる。
【０１４０】
図７Ｂは錐形で低圧のピストンの縦断面を提供する弾性材料７９を含んだピストン手段７６を図示している。ローディング材料７９はローディング手段としても機能する。ボトムはシール手段８０を含んでいる。これは放射状に形状保持される。このシール手段８０は部分的にローディング手段として機能する。主支持手段はスティフナー８１と８２を含んでいる。スティフナー８１はピストン手段のシールエッジ８３をチャンバー壁方向に支持する。スティフナー８２はシール手段８０と基本材料７９からロードを支持手段８４に移動させる。支持手段は、例えば、座金であり、自身はピストンロッド６で支持されている。シール手段８０はピストン手段７６のこのポジションで少々形状保持されており、フォールド部８５は高い圧力がチャンバー７０内に存在するとシールエッジ８３をローディングする。スティフナー８２はジョイント８６でトップと結合される。ピストン手段７０がこのポジションにあるとき、スティフナー８１と８２は中央軸１９との角度γとδを有する。δはチャンバー７０の中央軸１９と略平行であることを示す。ピストン７６と中央軸１９との間は角度φである。
【０１４１】
図７Ｃはポンプストロークの終了部でのピストン手段７６’を図示している。シール手段８０は共に保持されている。弾性材料７９は共に絞られており、スティフナー８１、８２は中央軸１９と平行である。ピストン手段７６’の表面と中央軸１９の間の角度φ２は正であるが、ほとんど０である。シールエッジ８３と中央軸１９の距離ａ’はストローク開始部での距離の３９％である。シール手段８０’がさらに図示されている。
【０１４２】
図７Ｄはピストン手段７６のＥ−Ｅ断面であり、基礎弾性材料７９、スティフナー８１、８２、シール手段８０のフォールド部を図示している。弾性材料７９は絞られている。
【０１４３】
図７Ｆは面積が減少するチャンバーの横断面図である。この周囲の長さは一定である。これらは２つのユニークなモジュラーパラメータ化フーリエ級数式で定義される。左上部はこの級数の開始断面である。使用されるパラメータセットは図の底部に示されている。この級数は横断面の減少面積を示している。太字の数字は異なる形状の減少する断面積を示す。断面底部右側の形状の面積は上部左の約２８％である。
【０１４４】
図７Ｇはチャンバー１６２の縦断面を示している。横断面積は中央軸に沿った周囲によって変化する。ピストンは１６３である。チャンバーは壁部分１５５、１５６、１５７、１５８の横断面の異なる断面積の部分を有している。壁部分間の移行部は１５９、１６０、１６１で示されている。Ｇ−Ｇ、Ｈ−Ｈ、Ｉ−Ｉ断面も図示されている。Ｈ−Ｈ断面１５２はＧ−Ｇ断面の９０〜７０％の面積である。
【０１４５】
図７Ｈは図７ＧのＨ−Ｈ横断面１５２を図示しており、比較のＧ−Ｇ断面１５０を点線で図示している。断面Ｈ−Ｈは断面Ｇ−Ｇの約９０〜７０％の面積である。滑らかな移行部１５１が提供されている。また、チャンバーの最小部分はＧ−Ｇ断面積の約５０％である。
【０１４６】
図７Ｉは図７Ｇの横断面Ｉ−ＩをＧ−Ｇ断面と比較するために点線で図示している。Ｉ−Ｉ断面はＧ−Ｇ断面の約７０％の面積である。移行部１５３は滑らかである。チャンバーの最小部分も図示されている。
【０１４７】
図７Ｊは図７ＧのＨ−Ｈ断面で図７Ａのピストンの別例を図示している。ピストンは弾性材料製であり、不透過性である。別体のシール手段は不要である。距離ｃとｄとは異なり、同じ横断面Ｈ−Ｈのピストンの変形が図示されている。
【０１４８】
図７Ｋは面積が減少する一連のチャンバーの横断面を図示している。周囲の長さは一定である。これらは２つのユニークなモジュラーパラメトリー化フーリエ級数式で定義される。上部左は級数の開始断面である。使用されるパラメータセットは図の底部に示されている。この級数は横断面の減少面積を示すが、周囲を一定に保つことで面積を増加させることも可能である。太字の数字は異なる形状の減少する断面積を示す。断面積は開始面積の約４９％である。
【０１４９】
図７Ｌは境界曲線の所定の固定長のために最良化された凸曲線と、最小曲率を示している。曲率の最小半径の一般式は図７Ｌの図に示す最大曲率に対応して次のようになる。
【数５】
2014142067.tif 000007
【０１５０】
長さｙは次の式で決定される。
【数６】
2014142067.tif 000008
【０１５１】
ｒ＝最小曲率半径
Ｌ＝境界長＝定数
Ａ１＝開始領域面積Ａ０の減少値
図３Ｄの実施例：領域面積Ａ０＝π（３０）２と境界長Ｌ＝６０π＝１８８．５。半径３０のディスクの面積と境界長に対応。この長さは定数。面積はA1に減少。望む最終形状は面積Ａ１＝π（１９／２）２＝２８３．５。最小境界曲率を具えた凸曲線は次のようになる。
【０１５２】
ｒ＝１.５４
κ＝１／ｒ＝０.６５
ｘ＝８９.４
図示する曲線は実際のものとは異なる。
【０１５３】
ピストンの壁へのシール状態を改善させるように直線を曲線と交換することでさらに改善させることができる。
【０１５４】
図７Ｍは境界曲線の所定の固定長に対して最良化された非凸曲線と最小曲率を示している。図７Ｌに示す最大曲率に対応する最小曲率は次のものである。
【数７】
2014142067.tif 000009
【０１５５】
ｘで表される長さは次のようになる。
【数８】
2014142067.tif 000010
【０１５６】
ｒ＝最小曲率の半径
Ｌ＝境界長＝定数
Ａ1＝開始領域面積Ａ0の減少値
境界曲線の最小曲率を具えた非凸曲線（紐状双曲線を除く）：
ｒ＝６.３
κ＝１/ｒ＝０.１６
ｘ＝４２
図は原寸大ではない。
【０１５７】
図８Ａ、８Ｂ、８Ｃは別のコンポジット構造を具えたピストン手段を有したポンプの第７実施例を図示している。このポンプは、空気等の気体封入体等の圧縮可能な封入体（水等の非圧縮性液体や、液体と気体の混合物でも可）を閉鎖チャンバー内に収容している。このチャンバーは補強ホース等である。ピストン手段の圧力側のライニング、補強及びカバーが非圧力側と異なるものでもよい。スキンをプレフォームスキンで提供し、ポンプストローク中にこの形状を保たせる。スキンを複数のパーツで提供することもできる。これはプレフォームとし、１つをピストン手段の非圧力側に、１つを圧力側に提供する（図８ＢのＸ、Ｙ＋Ｚ）。ポンプストローク中に２つのパーツが互いにヒンジ作用を提供する（図８ＢのＸＹとＺＺ）。横断面でチャンバーに対するシールエッジの採用は、シールエッジでのピストンの断面の変形をもたらすであろう。その結果、ピストン内側の容積が変化する。この容積変化は圧縮性封入体の圧力変化をもたらし、シール力の変化をもたらすであろう。さらに、圧縮性封入体はピストン上のロードをピストンロッドに移す際に支持部
として機能する。
【０１５８】
図８Ａはチャンバー９０の縦断面を図示している。このチャンバー９０は連続的凸曲線９１と、ポンプストロークの開始部でのピストン９２と、終了部でのピストン９２’とを含んでいる。チャンバー９０の高圧部分はアウトレットチャンネル９３とインレットチャンネル９４をチェックバルブ９５と９６（図示せず）と共に含んでいる。低圧用にはチェックバルブ９５は不要であろう。
【０１５９】
図８Ｂはピストンロッド９７に直接的に提供されたピストン９２を図示している。これはライニング９９内の圧縮性封入体１０３と、補強体１００とカバー１０１とを含んでいる。スキン９９、１００、１０１のパーツＸはプレフォームされている。ピストン手段９２の圧力パーツＹとＺも同様である。ヒンジＸＹはスキンのパーツＸとＹの間に図示されている。Ｘはチャンバー９０の中央軸１９と角η1を有している。ＹとＺは相互に接続されており、内角κ1を有している。この角度は力がピストンロッドに直接的に伝わるように選択されている。Ｙ’とＺ’間の角λは、チャンバー内の力が高いほど中央軸へ垂直に近くなるように選択されている。パーツＺの半分間のヒンジＺＺとシールエッジ１０２がさらに図示されている。
【０１６０】
図８Ｃはストローク終了部でのピストンを図示している。スキンのパーツＸ’は中央軸とη2の角度を有しており、Ｘ’とＹ’は内角κ2を有している。Ｙ’とＺ’の角度λはほぼ一定である。Ｚの半分間の角度はほぼ０である。シールエッジ１０２とチャンバーの中央軸１９との距離a'はストローク開始部での距離の約４０％である。シールエッジ１０２’と圧縮封入体１０３’がさらに図示されている。
【０１６１】
図９Ａ、９Ｂ、９Ｃ、９Ｄは、固定寸法のチャンバーと、寸法を変えることができるピストンの第８実施例を図示している。ピストンはチャンバーの横断面を満たす膨張体である。ストローク中にピストンはシールエッジでコンスタントに寸法を変化させる。材料は弾性変形ライナーや、繊維（ガラス、ボロン、カーボン、アラミド等）、布地、フィラメント等の支持手段のコンポジット材料でよい。繊維構造とピストンへの全体的なローディング状態によっては（ピストンは少々過内圧を有している）、球状または楕円球状等となるであろう。チャンバーの横断面積の減少はその方向で膨張体のサイズの減少をもたらし、立体的減少が可能になる。これは繊維機構の“格子効果”による。カバーも適当な弾性変形材料で提供されている。ライナーやカバーが非透過性でなければ、膨張体内に分離したブラダーを使用することができる。支持手段は内圧が外圧よりも大きい場合にだけ力を提供する。この圧力条件は適当なシール状態を得るには好都合である。チャンバー内の圧力をコンスタントに変化できるので、膨張体内の圧力も変化する。一定とするためにポンプストローク中の圧力は高くなる。最後の解決策は低圧の場合にのみ利用する。さもないとピストンがチャンバー内でスタックするからである。チャンバー内が高圧の場合は、内圧がチャンバー内の圧力の変動によって変わるようにアレンジすることが必要であろう。このことはいくつかの方法で達成される。例えば、ローディング制御であり、他の方法でもよい。シールエッジの横断面積のサイズの変更でピストンの容積は変化する。なぜなら、移動方向のピストンサイズは一定だからである。この変化で、非圧縮性封入体は中空ピストンロッド内のスプリング式ピストン内へ入り、あるいはそこから流れ出る。スプリング式ピストンは別の場所に存在することもできる。ピストンの容積の変化により発生する圧力とスプリングによる圧力の変化の組み合わせでシール力が提供される。スプリングはシール力のための微調整役を演じる。改善されたロード制御は非圧縮封入体を圧縮性封入体と非圧縮性封入体との組合せと交換することで達成される。圧縮性封入体はロード制御手段として作用する。さらなる改善はスプリングをチャンバーのピストンの作動力で交換することで提供される。低いシール力と小さい摩擦によってピストンの戻りを容易にする。ピストン内部の封入体の温度上昇は、素早く熱せられる封入体の選択で達成される。
【０１６２】
図９Ａは図８Ａのチャンバーの縦断面を図示している。これは図９Ｂのピストン１４６をストロークの開始部に有しており、ピストン１４６’をストロークの終了部に有している。
【０１６３】
図９Ｂはパターン化された繊維１３０を含んだ壁を有した膨張体を具えたピストン１４６を図示している。この膨張体は球状となる。カバー１３１とライナー１３２も図示されている。不透過性ブラダー１３３は球体の内部に存在する。球体はピストンロッド１２０に直接的に搭載されている。それはキャップ１２１の１端とキャップ１２２の他端でロックされている。ピストンロッド１２０の中空チャンネル１２５は球体の内側にホール１２３を有しており、ローディング手段は、例えば非圧縮性封入体１２４であり、球体内に収容されてピストンロッド１２０のチャンネル１２５と自由に出入りする。チャンネル１２５の他端はスプリング１２７を具えた可動ピストン１２６によって閉鎖されている。このスプリングはピストンロッド１２８に搭載されている。スプリング１２７は球体内の圧力とシール力を調整する。シール面１２９はチャンバーの隣接壁と接触する。繊維は概略図で図示されている。
【０１６４】
図９Ｃは断面積が最小であるストロークの終了部での図９Ｂのピストンを図示している。球体はチャンバーの隣接壁と形状一致する大きなシール面１３４を有している。ピストン１２６は図９Ｂのピストンに対応して移動する。非圧縮性封入体１２４’は変形した球体から絞り出される。摩擦力を最低とするため、シール面でカバーにリブ（図示せず）を提供するか、低摩擦コーティングを施す（チャンバー壁も同様に処理）。キャップ１２１と１２２はピストンロッド１２０に沿って動けないので、格子効果はスキンの余剰材料部分のみである。残りは“ショルダー１２５”として図示されており、使用寿命を減少させる要因となり得る。また、摩擦を増加させる。シールエッジ１２９’も図示されている。シールエッジ１２９’とチャンバーの中央軸との間の距離a'はストロークの開始部での距離aの約４８％である。
【０１６５】
図９Ｄは、球体の内部に非圧縮性封入体１３６と圧縮性封入体１３７とを有することでシール力が改善される調整の様子を図示している。封入体の圧力はシールリング１３９と、作動力に直接的に接続されたピストンロッド１４０を具えたピストン１３８で調整される。ピストン１３８は球体のシリンダー１４１内でスライドできる。ストップ１４５はピストンロッド１４０上で球体を固定する。
【０１６６】
図１０Ａ、１０Ｂ、１０Ｃは、チャンバーの小断面によるスキンの余剰分がリリースされる改善ピストンを図示している。そのために使用寿命が長くなり、摩擦が低下する。この方法によって、ピストンロッド上のピストンの懸垂でピストンロッド上にて平行移動及び/又は回転し、チャンバーの最大圧が存在するピストンの側部からさらに離れたポジションに移動させることができる。可動キャップとピストンロッド上のストップとの間のスプリングは別なローディング調整手段として機能する。
【０１６７】
図１０Ａは本願発明のポンプのチャンバー１６９の縦断面である。
【０１６８】
図１０Ｂは少なくとも２層で提供された繊維１７１を具えた膨張スキンを有したピストンを図示している。ピストンの内部は非透過層１７２でもよい。封入体は圧縮性封入体１７３と非圧縮性封入体１７４の組み合わせである。スキン１７０はピストンロッド１７６に固定されたキャップ１７５内のピストンロッドの端部に搭載される。スキンの他端はピストンロッド１７６上をスライドできる可動キャップ１７７にヒンジ固定されている。キャップ１７７は、ピストン１７６に固定された座金（ストップ）１７９側の他端で絞られたスプリング１７８でチャンバー１６９の圧力部方向にプレスされる。シールエッジ１６７が併せて図示されている。
【０１６９】
図１０Ｃはポンプストローク終了部での図１０Ｂのピストンを図示している。このことは非圧縮性封入体１７４’と圧縮性封入体１７３’に対しても同様である。スキン１７０’は変形し、大きなシール面１６７’を提供する。シールエッジ１６７とチャンバーの中央軸との間の距離a'はストロークの開始部での距離aの約４３％である。
【０１７０】
図１１Ａ、１１Ｂ、１１Ｃは、余剰材料を取り除く可動キャップをピストンロッド上の移動方向にて端部の両方に有しているピストンを図示している。これは単方向ポンプのピストンの改善であるが、このピストンを双方向作動ポンプのピストンに使用することも可能である。このポンプの場合は、全てのストロークはポンプ作用ストロークである。作動中のスキンの運動はピストンロッドのストップによって間接的に規制されている。ストップはチャンバーの封入体の圧力がピストンをピストンロッドから奪取することがないように配置される。
【０１７１】
図１１Ａは、ストロークの開始部での改善ピストン２０８と終了部でのピストン２０８’を具えたチャンバーの縦断面を図示している。
【０１７２】
図１１Ｂはピストン２０８の第９実施例を図示している。球体のスキンは図１０のものに対応する。内部の非透過層１９０はトップのキャップ１９１とボトムのキャップ１９２内に絞り入れられている。これらキャップの詳細は図示されていない。両キャップ１９１、１９２はピストンロッド１９５上で平行移動及び/又は回転することができる。このことは様々な方法で可能であり、異なるタイプのベアリングを使用することもできる。キャップ１９１は下方にのみ移動することができる。なぜなら、ストップ１９７は上方への動きを妨害するからである。シール力の調整は非圧縮性封入体２０５と圧縮性封入体２０６及びピストンロッド１９５内のスプリング式ピストン１２６の組み合わせで提供される。封入体はホール１９９、２００、２０１を通過してピストンロッドの壁２０７を通って自由に流れる。Ｏリング２０２、２０３はキャップ１９１、１９２をピストンロッドとシール状態とする。ピストンロッド１９５の端部のキャップ２０４はピストンロッドを締め付ける。対応するストップはピストンロッドの別場所に配置することが可能である。
【０１７３】
図１１Ｃはポンプストローク終了部での図１１Ｂのピストンを図示している。上部のキャップ１９１はストップ１９６から距離ｘだけ移動し、底部キャップ１９２はストップ１９７にプレスされている。圧縮性封入体２０６’と非圧縮性封入体２０５’が図示されている。
【０１７４】
図１２Ａ、１２Ｂ、１２Ｃは改良型ピストンを図示している。改良点はローディング調整手段によるシール力の調整改善と、小さなシール接触面、特に断面積による摩擦力の低減である。改善調整は、ピストン内の圧力が同じピストンロッド上のピストンペアによってチャンバー内の圧力に直接的に影響されることと、ピストンロッド上の作動力の存在に対する独立性とに関与する。これは、もし作動力が変化するなら、ポンプストロークのストップ中に特に有利である。なぜなら、シール力は一定であり、シールの消失は発生しないからである。チャンバーの圧力が減少したときポンプストロークの終了部にて、ピストンの戻りは摩擦の低下でさらに容易となる。双方向作動ポンプの場合には、ローディング調整手段はピストンの両側で影響を受ける。例えば、このローディング調整手段（図示せず）のダブルアレンジで影響を受ける。ピストンのアレンジは設計仕様に従う。例えば、チャンバーの圧力の増加はピストンの圧力の増加をもたらすであろう。他の仕様では他のアレンジができる。この関係は増加を一次増加とは異なるように設計できる。構造はピストンペアとなり、それらはピストンロッドで接続される。ピストンは等しい面積、異なるサイズ及び/又は異なる面積を有することができる。
【０１７５】
特定の繊維構造体と全ローディング量によってはピストンの縦断面の形状は長斜方形となる。この部分の２つの角部はシール面として作用し、チャンバーの小さな横断面によって減少した接触面積となる。接触面のサイズはピストンのスキンのリブ型外面の存在によって増加が可能である。チャンバーの壁及び/又はピストンの外側はコーティング、例えば、ナイロンでコーティング処理したり、低摩擦材料で提供することができる。
【０１７６】
図１２Ａから図１２Ｃの別体の３ピストンを具えたピストンの横断面図が図示されている。これら別体ピストンは第１円形断面積（図７Ｆ）でそれぞれシールされている。別ポイントのチャンバーの縦軸で、それぞれは３つの部分をシールする（図７Ｆ）。
【０１７７】
図１２Ａはチャンバー２１６でストロークの開始部２２２と終了部２２２’のピストンの第１０実施例のピストンチャンバーの縦断面を図示している。
【０１７８】
図１２Ｂは図１１Ｂと図１１Ｃに関して解説された主要構造のピストンを図示している。スキンは外側リブ２１０を含んでいる。スキンと内部の非透過性層１９０はネジで固定された内側部分２１１と外側部分２１２との間の上部で絞られている。ピストンの内部には圧縮性封入体２１５と非圧縮性封入体２１９が存在する。ピストン内圧はピストンアレンジで調整される。ピストンアレンジはチャンバー２１６の圧力で直接的に作動される。チャンバー２１６に接続された底部のピストン１４８はピストンロッド２１７に搭載されており、他方側では別のピストン１４９が搭載されており、ピストン２２２の封入体に連結されている。ピストンロッド２１７はスライドベアリング２１８でガイドされる。他のタイプのベアリングでも構わない。ピストンロッド２１７の両側のピストンは異なる直径を有することができる。ピストンを収容するシリンダーを２つのチャンバーと交換することもできる。シールエッジは２２０で示されている。ピストンロッドは２２４である。ピストン１４８とオリフィス２２３の間の距離はｄ1で表されている。
【０１７９】
図１２Ｃはストロークの終了部での図１２Ａのピストンを図示している。チャンバー２１６には高圧が存在する。シールエッジは２２０’で示される。ロード調整手段（可動ピストン）１４８’はチャンバー側にオリフィス２２３からの異なる距離を有している。ピストン１４８’と１４９’は図１２Ｂよりもオリフィスから長い距離ｄ2に位置している。
【０１８０】
図１３Ａ、１３Ｂ、１３Ｃは弾性変形壁を具えたチャンバーを有したポンプを図示している。これは異なる横断面積を有しており、さらに固定幾何形状のピストンを有している。固定幾何サイズの新リンダーとしてのハウジング内で膨張式チャンバーが提供されている。このチャンバーは非圧縮性及び/又は圧縮性封入体で膨張される。このハウジングの使用は必須ではない。この膨張壁を繊維コンポジットと不透過性スキンで裏打ちすることができる。ピストンのシール面の角度は、移動方向に平行な軸に対してチャンバーの壁の対応角よりも多少大きい。この角度の違いと、ピストンによる壁の瞬間変形が多少遅れて発生する事実から、２つのピストン間の移動中のチャンバーの中央軸までの距離及び/又はチャンバーポジションが変化することができるシールエッジが提供される。これでストローク中に断面積の変化が提供され、計算できる作動力が提供される。移動方向のピストンの断面は等しくなるかも知れない。または、チャンバーの壁の角度に関して負の角度となるかも知れない。この場合、ピストンの“ノーズ”は丸くする。この場合、変化する断
面積を提供することはさらに困難かも知れない。チャンバーの壁に図１２Ｂに示すようなロード調整手段を装着し、必要であれば、形状調整手段も装着させる。ピストンの速度はシール効果を高めるであろう。
【０１８１】
図１３Ａはチャンバー１３１内の４ポジションでのピストン２３０を図示している。膨張壁周囲には固定幾何サイズのハウジング２３４が存在する。この壁２３４内には圧縮性封入体２３２と非圧縮性封入体２３３が存在する。壁の膨張のためのバルブアレンジ（図示せず）が提供される。非圧縮側のピストンの形状はシールエッジの原理を解説するための例示である。ストロークの終了部と開始部でのシールエッジの距離には３９％の開きがある。
【０１８２】
図１３Ｂはストロークの開始後のピストンを図示している。シールエッジ２３５から中央軸２３６の距離はｚ1である。ピストンシールエッジ２３５とチャンバーの中央軸２３６との間には角ξが存在する。チャンバーの壁と中央軸２３６の間には角νが存在する。角νは角ξよりも小さい。シールエッジ２３５は角νが角ξと同じになるようにアレンジされる。
【０１８３】
ピストンの他の実施例は図示されていない。
【０１８４】
図１３Ｃはストローク中のピストンを図示している。シールエッジ２３５と中央軸２３６の距離はｚ2である。この距離はｚ1よりも小さい。
【０１８５】
図１３Ｄはほぼストローク終了時のピストンを図示している。シールエッジ２３５と中央軸２３６の距離はｚ3である。この距離はｚ2よりも小さい。
【０１８６】
図１４はチャンバーの壁と可変形状を有したピストンの組合せ構造体を図示している。図１３Ａのチャンバーは非圧縮性封入体のみと、ストローク開始部でのピストンを有して図示されている。ピストン２２２”はストロークの終了直前の状態である。その他の可変寸法ピストンも利用できる。ピストンと封入体２３７の速度の適性な選択によって優れた効果が提供される。図１４のチャンバーの縦断面は異なるものでも構わない。
【符号の説明】
【０１８７】
１ チャンバー                                        図３Ａ
２ 壁部分                                            図３Ａ
３ 壁部分                                            図３Ａ
４ 壁部分                                            図３Ａ
５ 壁部分                                            図３Ａ
６ ピストンロッド                                    図３Ａ
７ キャップ                                          図３Ａ
８ シール部                                          図３Ｂ
８’ シール部                                          図３Ｃ
９ ローディング部                                    図３Ｂ
９’ ローディング部                                    図３Ｃ
９.１ セグメント                                      図３Ｂ
９.２ セグメント                                      図３Ｂ
９.３ セグメント                                      図３Ｂ
１０ 支持部                                          図３Ｂ
１１ ロック手段                                      図３Ｂ
１２ インレット                                      図３Ｂ
１３ バルブ                                          図３Ｂ
１４ アウトレットチャンネル                          図３Ｃ
１５ 手段                                            図３Ｃ
１６ 移行部                                          図３Ａ
１７ 移行部                                          図３Ａ
１８  移行部                                          図３Ａ
１９  中央軸                                          図３Ａ
２０  ピストン                                        図３Ａ
２０’  ピストン                                        図３Ａ
２１  チャンバー                                      図４Ａ
２２  冷却リブ                                        図４Ａ
２３  ピストンロッド                                  図４Ａ
２４  キャップ                                        図４Ａ
２５  シール部                                        図４Ｂ
２５’  シール手段                                      図４Ｃ
２６  手段                                            図４Ｂ
２７  （ピストンロッド）パーツ                        図４Ｂ
２８  支持部                                          図４Ｂ
２９  リング                                          図４Ｂ
３０  軸                                              図４Ｂ
３１  ローディング部                                  図４Ｂ
３２  ホール                                          図４Ｂ
３３  ストップ面                                      図４Ｄ
３４  ガイド手段                                      図４Ｄ
３５  スプリング                                      図４Ｃ
３６  ピストン                                        図４Ａ
３６’  ピストン                                        図４Ａ
３７  シールエッジ                                    図３Ｂ
３８  シールエッジ                                    図４Ｂ
３８’  シールエッジ                                    図４Ｃ
３９  中央軸                                          図５Ｂ
４０  シール手段                                      図５Ｂ
４０’  シール手段                                      図５Ｃ
４１  シール手段/Ｏリング                              図５Ｂ
４１’  シール手段                                      図５Ｃ
４２  スプリング                                        図５Ｂ
４３  支持手段                                          図５Ｂ
４３’  支持手段                                          図５Ｂ
４４  軸                                                図５Ｂ
４５  ピストンロッド                                    図５Ｂ
４６  スプリング                                        図５Ｂ
４６’  スプリング                                        図５Ｃ
４７  ブラケット                                        図５Ｄ
４８  シールエッジ                                      図３Ｂ
４９  ピストン                                          図３Ａ
４９’  ピストン                                          図３Ａ
５０  ピストン手段                                      図６Ｂ
５０’  ピストン手段                                      図６Ｃ
５１  補強体                                            図６Ｂ
５２  クランプ                                          図６Ｂ
５３  突起                                              図６Ｂ
５４  カバー                                            図６Ｂ
５４’  カバー                                            図６Ｃ
５５  ライニング                                        図６Ｂ
５５’  ライニング                                        図６Ｃ
５６  リブ                                              図６Ｂ
５７  リブ                                              図６Ｂ
５８  シールエッジ                                      図６Ｂ
５９  ピストン                                          図６Ａ
５９’  ピストン                                          図６Ａ
６０  チャンバー                                        図６Ａ
６１  壁部                                              図６Ａ
６２  壁部                                              図６Ａ
６３  壁部                                              図６Ａ
６４  壁部                                              図６Ａ
６５  壁部                                              図６Ａ
６６  移行部                                            図６Ａ
６７  移行部                                            図６Ａ
６８  移行部                                            図６Ａ
６９  移行部                                            図６Ａ
７０  チャンバー                                        図７Ａ
７１  （円筒）部                                        図７Ａ
７２  移行部                                            図７Ａ
７３  （凹曲）部                                        図７Ａ
７４  移行部                                            図７Ａ
７５  （円筒）部                                        図７Ａ
７６  ピストン                                          図７Ａ
７６’  ピストン                                          図７Ｃ
７７  アウトレットチャンネル                            図７Ｃ
７８  チェックバルブ                                    図７Ａ
７９  ローディング手段/材料                              図７Ｄ
８０  シール手段                                        図７Ｂ
８０’  シール手段                                        図７Ｃ
８１  スティッフナー                                    図７Ｂ
８２  スティッフナー                                    図７Ｂ
８３  シールエッジ                                      図７Ｂ
８４  支持手段                                          図７Ｂ
８５  フォールド部                                      図７Ｂ
８６  ジョイント                                        図７Ｂ
８７  フォールド部                                      図７Ｃ
９０  チャンバー                                        図８Ａ
９１  （凸曲）部                                        図８Ａ
９２  ピストン                                          図８Ａ
９２’  ピストン                                          図８Ａ
９３  アウトレットチャンネル                            図８Ａ
９４  インレットチャンネル                              図８Ａ
９５  チェックバルブ                                    図８Ａ
９６  チェックバルブ                                    図８Ａ
９７  ピストンロッド                                    図８Ｂ
９９  ライニング                                        図８Ｂ
１００  補強体                                          図８Ｂ
１０１  カバー                                          図８Ｂ
１０２  シールエッジ                                    図８Ｂ
１０２’  シールエッジ                                    図８Ｃ
１０３  （圧縮性）封入体                                図８Ｂ
１０３’  （圧縮性）封入体                                図８Ｃ
１１０  スキン                                          図５Ｇ
１１０’  スキン                                          図５Ｈ
１１１  繊維                                              図５Ｇ
１１２  シール部                                          図５Ｇ
１１３  スプリング式リング                                図５Ｇ
１１４  リング                                            図５Ｇ
１１５  形状体                                            図５Ｈ
１１７  シールエッジ                                      図９Ｃ
１１８  ピストン                                          図５Ｆ
１１８’  ピストン                                          図５Ｆ
１２０  ピストンロッド                                    図９Ｂ
１２１  キャップ                                          図９Ｂ
１２２  キャップ                                          図９Ｂ
１２３  ホール                                            図９Ｂ
１２４  （非圧縮性）封入体                                図９Ｂ
１２４’  （非圧縮性）封入体                                図９Ｃ
１２５  （中空）チャンネル                                図９Ｂ
１２６  （可動）ピストン                                  図９Ｂ
１２７  スプリング                                        図９Ｂ
１２８  ピストンロッド（**）                              図９Ｂ
１２９  シールエッジ                                      図９Ｂ
１３０  繊維                                              図９Ｂ
１３１  カバー                                            図９Ｂ
１３２  ライナー                                          図９Ｂ
１３３  （非透過性）ブラダー                              図９Ｂ
１３４  シール面                                          図９Ｃ
１３５  ショルダー                                        図９Ｃ
１３６  （非圧縮性）封入体                                図９Ｄ
１３７  （圧縮性）封入体                                  図９Ｄ
１３８  ピストン                                          図９Ｄ
１３８’  ピストン                                          図９Ｄ
１３９  （シール）リング                                  図９Ｄ
１４０  ピストンロッド                                    図９Ｄ
１４１  シリンダー                                        図９Ｄ
１４３  ピストンロッド                                    図９Ｄ
１４５  ストップ                                          図９Ｄ
１４６  ピストン                                          図９Ａ
１４６’  ピストン                                          図９Ａ
１４８  （可動）ピストン                                  図１２Ｂ
１４８’  （可動）ピストン                                  図１２Ｃ
１４９  （可動）ピストン                                  図１２Ｂ
１４９’  （可動）ピストン                                  図１２Ｃ
１５０  断面Ｇ-Ｇ                                          図７Ｈ
１５１  移行部                                              図７Ｈ
１５２  断面Ｈ-Ｈ                                            図７Ｇ
１５３  移行部                                              図７Ｉ
１５４  断面                                                図７Ｉ
１５５  壁部分                                              図７Ｇ
１５６  壁部分                                              図７Ｇ
１５７  壁部分                                              図７Ｇ
１５８  壁部分                                              図７Ｇ
１５９  移行部                                              図７Ｇ
１６０  移行部                                              図７Ｇ
１６１  移行部                                              図７Ｇ
１６２  チャンバー                                          図７Ｇ
１６３  ピストン                                            図７Ｇ
１６７  シールエッジ                                        図１０Ｂ
１６７’  シールエッジ                                        図１０Ｂ
１６８  ピストン                                            図１０Ａ
１６８’  ピストン                                            図１０Ａ
１６９  チャンバー                                          図１０Ａ
１７０  スキン                                              図１０Ｂ
１７０’  スキン                                              図１０Ｃ
１７１  繊維                                                図１０Ｂ
１７２  （非透過）層                                        図１０Ｂ
１７３  （圧縮性）封入体                                    図１０Ｂ
１７３’  （圧縮性）封入体                                    図１０Ｃ
１７４  （非圧縮性）封入体                                  図１０Ｂ
１７４’  （非圧縮性）封入体                                  図１０Ｃ
１７５  キャップ                                            図１０Ｂ
１７６  ピストンロッド                                      図１０Ｂ
１７７  （可動）キャップ                                    図１０Ｂ
１７８  スプリング                                          図１０Ｂ
１７８’  スプリング                                          図１０Ｃ
１７９  ストップ                                            図１０Ｂ
１８０  スプリングロッド                                    図６Ｅ
１８１  カバー                                              図６Ｅ
１８２  突起                                                図６Ｅ
１８３  スプリング部材                                      図６Ｅ
１８４  支持手段/繊維                                        図６Ｅ
１８５  ライナー                                            図６Ｅ
１８６  チャンネル                                          図６Ｅ
１８７  トップ                                              図６Ｅ
１８８  シールエッジ                                        図６Ｅ
１８９  ピストン                                            図６Ｄ
１８９’  ピストン                                          図６Ｄ
１９０  （非透過）層                                        図１１Ｂ
１９１  （可動）キャップ                                    図１１Ｂ
１９２  （可動）キャップ                                    図１１Ｂ
１９３  （固絞）エッジ                                      図１１Ｂ
１９４  （固絞）エッジ                                      図１１Ｂ
１９５  ピストンロッド                                      図１１Ｂ
１９６  ストップ                                          図１１Ｂ
１９７  ストップ                                          図１１Ｂ
１９８’  シールエッジ                                      図１１Ｃ
１９９  ホール                                            図１１Ｂ
２００  ホール                                            図１１Ｂ
２０１  ホール                                            図１１Ｂ
２０２  Ｏ-リング                                          図１１Ｂ
２０３  Ｏ-リング                                          図１１Ｂ
２０４  （不動）キャップ                                    図１１Ｂ
２０５  （非透過性）封入体                                  図１１Ｂ
２０６  （圧縮性）封入体                                    図１１Ｂ
２０７  壁                                                  図１１Ｂ
２０８  ピストン                                          図１１Ａ
２０８’  ピストン                                          図１１Ａ
２０９  ピストン                                          図１１Ａ
２１０  リブ                                              図６Ｅ
２１１  （内側）部分                                      図１２Ｂ
２１２  （外側）部分                                      図１２Ｂ
２１３  （内側）部分                                      図１２Ｂ
２１４  （外側）部分                                      図１２Ｂ
２１５  （圧縮性）封入体                                  図１２Ｂ
２１５’  （圧縮性）封入体                                  図１２Ｃ
２１６  チャンバー                                        図１２Ａ
２１７  ピストンロッド（**）                              図１２Ｂ
２１８  （スライド）ベアリング                            図１２Ｂ
２１９  （非圧縮性）封入体                                図１２Ｂ
２１９’  （非圧縮性）封入体                                図１２Ｃ
２２０  シールエッジ                                      図１２Ｂ
２２０’  シールエッジ                                      図１２Ｃ
２２１  シリンダー                                        図１２Ｂ
２２２  ピストン                                          図１２Ａ
２２２’  ピストン                                          図１２Ａ
２２３  オリフィス                                        図１２Ｂ
２２４  ピストンロッド                                    図
２３０  ピストン                                          図１３Ａ
２３１  チャンバー                                        図１３Ａ
２３２  （圧縮性）封入体                                  図１３Ａ
２３３  （非圧縮性）封入体                                図１３Ａ
２３４  ハウジング                                        図１３Ａ
２３５  シールエッジ                                      図１３Ａ
２３６  中央軸                                            図１３Ａ
２３７（非圧縮性）封入体                                  図１４
２３８  壁                                                図１３Ａ
Ｘ  （スキン）パーツ                                      図８Ｂ
Ｘ’  パーツ                                              図８Ｃ
Ｙ  （スキン）パーツ                                      図８Ｂ
Ｙ’  パーツ                                                図８Ｃ
Ｚ  （スキン）パーツ                                      図８Ｂ
Ｚ’  パーツ                                                図８Ｃ
ＸＹ  ヒンジ                                              図８Ｂ
Ｘ’Ｙ’  ヒンジ                                              図８Ｃ
ＺＺ  ヒンジ                                              図８Ｂ
Ｚ’Ｚ’  ヒンジ                                              図８Ｃ
α1  角                                                      図３Ｂ
α2  角                                                      図３Ｃ
β1  角                                                      図５Ｂ
β2  角                                                      図５Ｃ
ε1  角                                                      図６Ｅ
ε2  角                                                      図６Ｆ
δ  角                                                      図７Ｂ
ν  角                                                      図７Ｂ
λ  角                                                      図８Ｂ
κ1  角                                                      図８Ｂ
κ2  角                                                      図８Ｃ
η1  角                                                      図８Ｂ
η2  角                                                      図８Ｃ
ξ  角                                                        図１３Ｂ
υ  角                                                        図１３Ｂ
a  角                                                        図３Ｂ
a'  角                                                        図３Ｃ
x  長さ                                                      図７Ｌ、Ｍ
x"  距離                                                      図１１Ｃ
y  長さ                                                        図７Ｌ、Ｍ
y1  距離                                                      図９Ｂ
y2  距離                                                      図９Ｃ
z1  距離                                                      図１３Ｂ
z2  距離                                                      図１３Ｃ
z3  距離                                                      図１３Ｄ
d1  距離                                                      図１２Ｂ
d2  距離                                                      図１２Ｃ
ｒ  半径                                                      図７Ｌ、Ｍ
Ｌ  境界長                                                    図７Ｌ、Ｍ
【図１】
2014142067.tif 000011
【図２】
2014142067.tif 000012
【図３−１】
2014142067.tif 000013
【図３−２】
2014142067.tif 000014
【図４−１】
2014142067.tif 000015
【図４−２】
2014142067.tif 000016
【図４−３】
2014142067.tif 000017
【図５−１】
2014142067.tif 000018
【図５−２】
2014142067.tif 000019
【図５−３】
2014142067.tif 000020
【図６−１】
2014142067.tif 000021
【図６−２】
2014142067.tif 000022
【図６−３】
2014142067.tif 000023
【図７−１】
2014142067.tif 000024
【図７−２】
2014142067.tif 000025
【図７−３】
2014142067.tif 000026
【図７−４】
2014142067.tif 000027
【図７−５】
2014142067.tif 000028
【図７−６】
2014142067.tif 000029
【図７−７】
2014142067.tif 000030
【図７−８】
2014142067.tif 000031
【図８−１】
2014142067.tif 000032
【図８−２】
2014142067.tif 000033
【図９−１】
2014142067.tif 000034
【図９−２】
2014142067.tif 000035
【図９−３】
2014142067.tif 000036
【図１０−１】
2014142067.tif 000037
【図１０−２】
2014142067.tif 000038
【図１１−１】
2014142067.tif 000039
【図１１−２】
2014142067.tif 000040
【図１２−１】
2014142067.tif 000041
【図１２−２】
2014142067.tif 000042
【図１３】
2014142067.tif 000043
【図１４】
2014142067.tif 000044
【手続補正書】
【提出日】平成26年3月5日(2014.3.5)
【手続補正１】
【補正対象書類名】特許請求の範囲
【補正対象項目名】全文
【補正方法】変更
【補正の内容】
【特許請求の範囲】
【請求項１】
ピストンとチャンバーの組合せ構造体であって、前記構造体は、
内側チャンバー壁（７１、７３、７５）によって境界づけられる長形チャンバー（７０）、及び前記チャンバー内にピストン手段（７６、７６‘、１６３）を備え、
前記ピストン手段は、少なくとも前記チャンバーの第１長手ポジション及び第２長手ポジション間で、前記チャンバーに対してシール状態で移動可能出あるシール手段を備え、
前記チャンバーは、前記チャンバーの第１長手ポジション及び第２長手ポジションにおいて、異なる断面積の断面を有し、前記チャンバーの第１長手ポジション及び第２長手ポジション間での中間の長手ポジションにおいて少なくとも実質的に連続的に異なる断面積を有しており、
前記第１長手ポジションの前記断面積は、前記第２長手ポジションの前記断面積よりも大きく、
前記ピストン手段は、前記第１長手ポジションから前記中間の長手ポジションを通過して第２長手ポジションへとの前記ピストン手段の相対的な移動の間中、それ自体及び前記シール手段を、前記チャンバーの前記異なる断面積に適合するように構成されている、構造体において、
異なる断面積の前記断面は、異なる断面形状を有しており、前記チャンバー（１６２）の断面形状の変化は、前記チャンバー（１６２）の前記第１長手ポジションと前記第２長手ポジション間で連続的であり、前記ピストン手段（１６３）は、更に、それ自体及び前記シール手段が前記異なる断面形状に適合するように構成されており、
前記チャンバーの前記第１長手ポジションにおける、前記チャンバー（１６２）の前記断面形状の第１円周長さは、前記チャンバーの前記第２長手ポジションにおける、前記チャンバー（１６２）の前記断面形状の第２円周長さの８０〜１２０％に達する、ことを特徴とする構造体。
【請求項２】
前記チャンバーの前記第１長手ポジションにおける、前記チャンバー（１６２）の前記断面形状は、少なくとも実質的に円形であり、前記チャンバーの前記第２長手ポジションにおける、前記チャンバー（１６２）の前記断面形状は、楕円形のように細長く、その第１寸法は第２寸法の少なくとも２倍、例えば少なくとも３倍、好ましくは少なくとも４倍の長さである、請求項１に記載の構造体。
【請求項３】
前記チャンバーの前記第１長手ポジションにおける、前記チャンバー（１６２）の前記断面形状は、少なくとも実質的に円形であり、前記チャンバーの前記第２長手ポジションにおける、前記チャンバー（１６２）の前記断面形状は、少なくとも2倍以上実質的に細長く、例えば耳たぶ形状の部分を備えることを特徴とする請求項１または２に記載の構造体。
【請求項４】
前記チャンバーの前記第１長手ポジションにおける、前記チャンバー（１６２）の前記断面形状の第１円周長さは、前記チャンバーの前記第２長手ポジションにおける、前記チャンバー（１６２）の前記断面形状の第２円周長さの８５〜１１５％、好ましくは９０〜１１０％、例えば９５〜１０５％、好ましくは９８〜１０２％に達する、ことを特徴とする請求項１ないし３のいずれか１項に記載の構造体。
【請求項５】
前記第１円周長さ及び前記第２円周長さは、少なくとも実質的に同一であることを特徴とする請求項４に記載の構造体。
【請求項６】
前記チャンバーの前記第２長手ポジションにおける、前記チャンバーの前記断面積は、前記チャンバー（１６２）の前記第１長手ポジションにおける、前記チャンバーの前記断面積の９５％以下であることを特徴とする請求項１ないし５のいずれか１項に記載の構造体。
【請求項７】
前記チャンバーの前記第２長手ポジションにおける、前記チャンバー（１６２）の前記断面積は、前記チャンバーの前記第１長手ポジションにおける、前記チャンバー（１６２）の前記断面積の９５〜１５％であることを特徴とする請求項６に記載の構造体。
【請求項８】
前記チャンバーの前記第２長手ポジションにおける、前記チャンバー（１６２）の前記断面積は、前記チャンバーの前記第１長手ポジションにおける、前記チャンバー（１６２）の前記断面積の９５〜７０％であることを特徴とする請求項６に記載の構造体。
【請求項９】
前記チャンバーの前記第２長手ポジションにおける、前記チャンバー（１６２）の前記断面積は、前記チャンバーの前記第１長手ポジションにおける、前記チャンバー（１６２）の前記断面積の、約５０％であることを特徴とする請求項６に記載の構造体。
【請求項１０】
流体をポンプ排出させるポンプであって、前記ポンプは、
請求項１から９のいずれか１項に記載の構造体と、
前記チャンバー（１６２）の外側のポジションから前記ピストン手段（７６、１６３）と係合する係合手段と、
前記チャンバーに連通しており、バルブ手段を含んでいる流体入口と、前記チャンバー（１６２）に連通している流体出口とを備えている、ポンプ。
【請求項１１】
前記係合手段は、前記ピストン手段（７６、１６３）が、前記チャンバーの前記第１長手ポジションに存在する外側のポジションと、及び前記チャンバーの前記第２長手ポジションに存在する内側のポジションとを有することを特徴とする請求項１０に記載のポンプ。
【請求項１２】
前記係合手段は、前記ピストン手段（７６、１６３）が、前記チャンバーの前記第２長手ポジションに存在する外側のポジションと、及び前記チャンバー（１６２）の前記第１長手ポジションに存在する内側のポジションとを有することを特徴とする請求項１０に記載のポンプ。
【請求項１３】
ショックアブソーバであって、
請求項１から９のいずれか１項に記載の構造体と、
前記チャンバーの外側のポジションから前記ピストン手段（７６、１６３）と係合する係合手段と、
を含んで成り、前記係合手段は、前記ピストン手段が前記チャンバー（１６２）の前記第１長手ポジションに存在する外側ポジションと、その前記第２長手ポジションに存在する内側ポジションとを有していることを特徴とするショックアブソーバ。
【請求項１４】
前記チャンバー（１６２）に連通しており、バルブ手段を含んでいる流体入口をさらに含んでいることを特徴とする請求項１３に記載のショックアブソーバ。
【請求項１５】
前記チャンバー（１６２）に連通しており、バルブ手段を含んでいる流体入口をさらに含んでいることを特徴とする請求項１３または１４に記載のショックアブソーバ。
【請求項１６】
前記チャンバー（１６２）と前記ピストン手段（７６、１６３）は流体を含んだ実質的にシール状態の凹部を形成しており、前記流体は前記ピストン手段が前記チャンバー（１６２）の前記第１長手ポジションから前記第２長手ポジションに移動するときに圧縮されることを特徴とする請求項１から１５のいずれか１項に記載のショックアブソーバ。
【請求項１７】
前記ピストン手段を前記チャンバーの前記第１長手ポジション側に押圧するバイアス手段をさらに含んでいることを特徴とする請求項１３から１５のいずれか１項に記載のショックアブソーバ。
【請求項１８】
アクチュエータであって、
請求項１から９のいずれか１項に記載の構造体と、
前記チャンバー（１６２）の外側のポジションから前記ピストン手段と係合する係合手段と、
前記チャンバー（１６２）内に流体を導入させ、前記ピストン手段（７６、１６３）を前記チャンバーの前記第１長手ポジションと前記第２長手ポジションとの間で移動させる導入手段と、
を含んで成ることを特徴とするアクチュエータ。
【請求項１９】
前記チャンバー（１６２）と連通しており、バルブ手段を含んでいる流体入口をさらに含んでいることを特徴とする請求項１８に記載のアクチュエータ。
【請求項２０】
前記チャンバーと連通しており、バルブ手段を含んでいる流体出口をさらに含んでいることを特徴とする請求項１８または１９に記載のアクチュエータ。
【請求項２１】
前記ピストン手段（７６、１６３）を前記チャンバーの前記第１長手ポジションまたは前記第２長手ポジション側に押圧するバイアス手段をさらに含んでいることを特徴とする請求項１８から２０のいずれか１項に記載のアクチュエータ。
【請求項２２】
前記導入手段は前記チャンバー（１６２）内へ圧縮流体を導入する手段を含んでいることを特徴とする請求項１８から２１のいずれか１項に記載のアクチュエータ。
【請求項２３】
前記導入手段はチャンバー内へガソリンまたはディーゼル等の燃焼性流体を導入させるように適合されており、該燃焼性流体を燃焼させる燃焼手段をさらに含んでいることを特徴とする請求項１８から２２のいずれか１項に記載のアクチュエータ。
【請求項２４】
クランクをさらに含んでおり、前記ピストン手段の平行移動を該クランクの回転に変換させる手段をさらに含んでいることを特徴とする請求項１８から２３のいずれか１項に記載のアクチュエータ。
【手続補正２】
【補正対象書類名】明細書
【補正対象項目名】０００８
【補正方法】変更
【補正の内容】
【０００８】
請求項１のプリアンブルが基礎としているＧＢ２０２３７１５ＡとＧＢ２０７０７３１Ａは内側がテーパ状態であるシリンダーを具えたポンプを開示する。このテーパの目的は製造時にシリンダーを鋳型から抜き出させることである。ピストンはストローク中に有効に作用するフェザー端部を有したシール部を具えている。この直径５０〜１００ｍｍに対して０．１５ｍｍのテーパは本願発明のものとは比較できない程度である。なぜなら、チャンバーの２つの離れた断面間の面積減少は非常に小さく（約０．５％）、実質的に作用に何ら影響を及ぼさないからである。また、ポンプ内の圧力も非常に低い。本願発明のピストンはこれとは比較にならないほど大きなテーパを具えている。問題は発生しない。なぜなら、本願発明のピストンは大きな断面積の変化を克服するように設計されているからである。図示されている本願発明のテーパは実体的なものであり、ＧＢ２０７０７３１Ａの場合のように誇張されているものではない。
ＥＰ０５２３３０２Ａ２は、ピストンがその最も下位置にあったときに、円錐形ボア及び前記円錐形ボア内部にフィットした円錐切頭形のバルブハウジングを有するピストンを備える往復ポンプを開示している。ＷＯ８９／１１０３８は、多数の液体のためのピストンポンプを開示している。ポンプは、シリンダヘッドの対向部におおける突起を収容するための円錐小室を備えている。
【手続補正３】
【補正対象書類名】明細書
【補正対象項目名】００１１
【補正方法】変更
【補正の内容】
【００１１】
本発明の目的は、請求項１によるピストンとチャンバーの組合せ構造体を達成することである。
一般的に、例えばポンプ用のチャンバーとピストンの組合せ構造体の設計には次のことが考慮されなければならない。すなわち、ポンプ作動力はユーザーが快適と感じられるものであること、ストローク距離は（特に女性や子供に対して）適度であること、ポンプ作動時間が短いこと、並びに、ポンプ部品数が少なく保守が容易であることが考慮されなければならない。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】